(57)【要約】【課題】装飾性をより高めた遊技機の演出装置を提供する。【解決手段】左側導光部材６４１の入射面を構成する複数の左側入射面部（例えば、第１〜第５左側入射面部６４３Ａ〜６４３Ｅ、第６〜第８左側入射面部６４３Ｆ〜６４３Ｈ、第１８〜第２０左側入射面部６４３Ｒ〜６４３Ｔ等）は、対応する複数の左側出射面部に対して、入射面方向（入射面の延在方向）において複数の左側出斜面部が並ぶ方向（上下方向）と直角な左右の幅方向にずれるとともに、上下方向に並んで配置される。これにより、複数の左側入射面部が互いに近接して配置されるのを防ぐことができるため、一の左側入射面部に入射する光が他の左側入射面部にも入射して干渉するのを防止することができる。【選択図】図２６
2019024663.tif 000002
【特許請求の範囲】
【請求項１】
複数の発光ランプが設けられたランプ基板と、
前記ランプ基板の前記複数の発光ランプと対向して設けられた透光性を有する板状の透光部材とを備え、
前記透光部材は、
前記複数の発光ランプと対向する入射面と、
前記入射面と反対の面側に形成され、前記複数の発光ランプから前記入射面に入射した光が通る出射面とを有し、
前記入射面は、前記複数の発光ランプに対応して形成された複数の入射面部を有し、
前記出射面は、前記複数の入射面部に対応して形成された複数の出射面部を有し、
前記複数の発光ランプのうち一の発光ランプから発光した光は、前記複数の入射面部のうち一の入射面部に入射して、前記複数の出射面部のうち一の出射面部を通るように構成され、
前記複数の出射面部は、一方向に並んで配置され、
前記複数の入射面部は、前記複数の出射面部に対して、前記入射面方向において前記一方向と直角な方向にずれるとともに、前記一方向に並んで配置されることを特徴とする遊技機の演出装置。
【請求項２】
前記透光部材の前記出射面が形成される面側を覆って設けられた透光性を有するランプカバーを備え、
前記ランプカバーは、前記ランプ基板に向けて延びるリブ部を有し、
前記リブ部の縁部に、前記ランプ基板に設けられた装飾ランプと対向するリブ側入射面が形成され、
前記装飾ランプから前記リブ側入射面に入射した光が前記リブ部を透過するように構成され、
前記リブ側入射面は、前記装飾ランプに向けて尖るテーパ状に形成されることを特徴とする請求項１に記載の遊技機の演出装置。
【発明の詳細な説明】
【技術分野】
【０００１】
本発明は、ぱちんこ遊技機等に用いられる遊技機の演出装置に関する。
【背景技術】
【０００２】
遊技機の一つであるぱちんこ遊技機は、遊技球による遊技を行う遊技領域が設けられた遊技盤を保持する枠部材に、払出装置および各種制御基板が装着された裏機構盤が取り付けられて構成される。そして、発射機構により遊技領域の上側に打ち出した遊技球を落下させる過程で、遊技領域内に設けた各種の入賞装置に入賞させる遊技が行われる。遊技領域には、各種の入賞装置の他、遊技性を高めるためにセンター飾り、画像表示装置、各種演出装置（例えば、特許文献１を参照）が設けられる。
【先行技術文献】
【特許文献】
【０００３】
【特許文献１】特開２０１５−７７２７８号公報
【発明の概要】
【発明が解決しようとする課題】
【０００４】
しかしながら、このような遊技機では、演出装置の装飾性をより高めるための方策が求められている。
【０００５】
本発明は、このような課題に鑑みてなされたものであり、装飾性をより高めた遊技機の演出装置を提供することを目的とする。
【課題を解決するための手段】
【０００６】
このような目的達成のため、本発明に係る遊技機の演出装置（例えば、実施形態における可動役物装置５００）は、複数の発光ランプが設けられたランプ基板と、前記ランプ基板の前記複数の発光ランプと対向して設けられた透光性を有する板状の透光部材とを備え、前記透光部材は、前記複数の発光ランプと対向する入射面と、前記入射面と反対の面側に形成され、前記複数の発光ランプから前記入射面に入射した光が通る出射面とを有し、前記入射面は、前記複数の発光ランプに対応して形成された複数の入射面部を有し、前記出射面は、前記複数の入射面部に対応して形成された複数の出射面部を有し、前記複数の発光ランプのうち一の発光ランプから発光した光は、前記複数の入射面部のうち一の入射面部に入射して、前記複数の出射面部のうち一の出射面部を通るように構成され、前記複数の出射面部は、一方向に並んで配置され、前記複数の入射面部は、前記複数の出射面部に対して、前記入射面方向において前記一方向と直角な方向にずれるとともに、前記一方向に並んで配置される。
【発明の効果】
【０００７】
本発明によれば、演出装置の装飾性をより高めることができる。
【図面の簡単な説明】
【０００８】
【図１】本実施形態に係るぱちんこ遊技機の正面図である。
【図２】上記ぱちんこ遊技機を後方から見た斜視図である。
【図３】遊技盤（透過していない状態）を示す正面図である。
【図４】遊技盤（透過した状態）を示す正面図である。
【図５】始動口ユニットを前方から見た斜視図である。
【図６】始動口ユニットを後方から見た斜視図である。
【図７】始動口ユニットを前方から見た分解斜視図である。
【図８】始動口ユニットを後方から見た分解斜視図である。
【図９】始動口ユニットの側面図である。
【図１０】図９の矢印IX−IXに沿って示す断面図である。
【図１１】始動口ユニットから前側通路形成部材を取り外した状態を示す斜視図である。
【図１２】始動口ユニットから通路カバー部材を取り外した状態を示す斜視図である。
【図１３】（Ａ）は開状態での駆動機構の斜視図、（Ｂ）は開状態での駆動機構の平面図である。
【図１４】（Ａ）は閉状態での駆動機構の斜視図、（Ｂ）は閉状態での駆動機構の平面図である。
【図１５】始動口ユニット（第２始動入賞装置）の変形例を示す斜視図である。
【図１６】可動役物装置の斜視図である。
【図１７】可動演出部材が待機位置に位置する状態の可動役物装置を示す正面図である。
【図１８】可動演出部材が演出位置に位置する状態の可動役物装置を示す正面図である。
【図１９】可動演出部材が演出位置に位置する状態の可動役物装置を示す背面図である。
【図２０】可動役物装置の分解斜視図である。
【図２１】ベース部を前方から見た分解斜視図である。
【図２２】ベース部を後方から見た分解斜視図である。
【図２３】左側発光演出部を前方から見た分解斜視図である。
【図２４】（Ａ）は左側ランプ基板を前方から見た斜視図であり、（Ｂ）は左側ランプ基板を後方から見た斜視図である。
【図２５】左側導光部材を前方から見た斜視図である。
【図２６】左側導光部材を後方から見た斜視図である。
【図２７】左側ランプカバーを前方から見た斜視図である。
【図２８】左側ランプカバーを後方から見た斜視図である。
【図２９】左側ランプ基板の前方に左側導光部材が配置された状態を示す正面図である。
【図３０】（Ａ）は図２９中の矢印Ａ−Ａに沿った断面図であり、（Ｂ）は図２９中の矢印Ｂ−Ｂに沿った断面図であり、（Ｃ）は図２９中の矢印Ｃ−Ｃに沿った断面図である。
【図３１】右側発光演出部を前方から見た分解斜視図である。
【図３２】（Ａ）は右側ランプベース部材を前方から見た斜視図であり、（Ｂ）は右側ランプベース部材を後方から見た斜視図である。
【図３３】（Ａ）は右側ランプ基板を前方から見た斜視図であり、（Ｂ）は右側ランプ基板を後方から見た斜視図である。
【図３４】右側導光部材を前方から見た斜視図である。
【図３５】右側導光部材を後方から見た斜視図である。
【図３６】第１及び第２右側ランプカバーを前方から見た斜視図である。
【図３７】第１及び第２右側ランプカバーを後方から見た斜視図である。
【図３８】右側発光演出部の平断面図である。
【図３９】後側演出部を前方から見た分解斜視図である。
【図４０】後側演出部を後方から見た分解斜視図である。
【発明を実施するための形態】
【０００９】
以下、本発明の好ましい実施形態について図面を参照して説明する。本発明に係る弾球遊技機の代表例として、ぱちんこ遊技機ＰＭを図１および図２に示すとともに、このぱちんこ遊技機ＰＭに設けられる遊技盤２０を図３および図４に示しており、まず、これらの図を参照してぱちんこ遊技機ＰＭの全体構成について説明する。なお、以降の説明においては、便宜上、図２の各矢印で示す方向をそれぞれ、前後方向、左右方向、上下方向と称して説明する。
【００１０】
［遊技機の全体構成］
始めに、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３ａ，３ｂにより横開き開閉および着脱が可能に取り付けられ、正面右側縁部に設けられたダブル錠と称される施錠装置４を利用して常には外枠１と係合連結された閉鎖状態に保持される。
【００１１】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２の前面側には、遊技盤２０が着脱可能にセット保持され、常には閉鎖保持されるガラス枠５の複層ガラス５ａを通して遊技盤２０の正面の遊技領域ＰＡを視認可能に臨ませるようになっている。
【００１２】
ガラス枠５の下部には、遊技球を貯留する上下の球皿（上球皿６及び下球皿７）が設けられる。ガラス枠５の上部には、遊技の展開状況に応じて発光する演出ランプ１１や、遊技の展開状況に応じて効果音を発生させるスピーカ８が設けられている。下球皿７の右側には、所定の演出操作を行うためのボタンやスイッチ、ダイヤル等の演出操作手段１２などが取り付けられる。
【００１３】
前枠２の右下部には、遊技球の発射操作を行う発射ハンドル９が設けられている。前枠２の下部には、図示省略するが、上球皿６に貯留された遊技球を１球ずつ送り出す球送り機構、この球送り機構から送り出された遊技球を遊技領域ＰＡへ向けて打ち出す発射機構、球送り機構や発射機構の作動を同期的に制御する発射制御基板などが設けられている。
【００１４】
遊技盤２０は、図３および図４に示すように、透明な合成樹脂材を用いて矩形の平板状に形成された基材をベースとして構成されている。なお、上記の図３および図４は遊技盤２０を前面側から見た正面図であるが、図３は遊技盤２０を透過していない状態を示し、図４は遊技盤２０を透過した状態を示している。遊技盤２０の前面には、左下部から右上部にかけて配設された円弧状の外レール２１と、外レール２１の内側において左下部から左上部にかけて配設された円弧状の内レール２２と、外レール２１の右上部から該盤面の下部までの間に配設されて左向きに開く湾曲形状に形成されたレール飾り２３とを備えており、外レール２１と内レール２２とレール飾り２３とで囲まれた内側に略円形の遊技領域ＰＡが区画形成されている。この遊技領域ＰＡは、略中央に配設される後述のセンター役物２６を基準として、センター役物２６の左側の領域である左側領域（左打ち領域）ＰＡ１と、センター役物２６の右側の領域である右側領域（右打ち領域）ＰＡ２とを有している。また、外レール２１と内レール２２とにより、不図示の発射機構により打ち出された遊技球を遊技領域ＰＡへ案内するための案内通路２４が形成される。この案内通路２４における遊技球の出口開口の近傍位置、すなわち、内レール２２の先端部に、案内通路２４を通って出口開口から遊技領域ＰＡ内へ放出された遊技球が再び案内通路２４へ逆戻りするのを防止する球戻り防止弁２５が配設されている。
【００１５】
遊技領域ＰＡには、多数本の遊技釘や風車（図示せず）とともに、第１始動入賞装置２００、第２始動入賞装置３００、一般入賞装置４００、作動ゲート装置６１、第１大入賞装置６２、第２大入賞装置６３等の各種入賞装置が配設されている。また、図示省略するが、遊技領域ＰＡには、第１特別図柄表示装置、第２特別図柄表示装置、普通図柄表示装置など、後述の主制御基板５１にて点灯制御される各種表示装置が集約的に配設されている。遊技領域ＰＡの略中央にはセンター役物２６が配設されており、このセンター役物２６の下方の開口を通して演出表示装置２７の画面が視認可能に設けられている。このセンター役物２６の上部には、遊技の展開状況に応じた演出動作を行う可動役物装置５００が設けられている。遊技領域ＰＡの下端部には、各種入賞装置２００，３００，４００，６１，６２の入賞口に入球せずに流下した遊技球が通過可能な二つのアウト口７１，７２が設けられている。各種入賞装置２００，３００，４００，６１，６２の入賞口に入球した遊技球又は各アウト口７１，７２に流入した遊技球は、遊技盤２０に前後貫通して形成された貫通孔（図示せず）を通じて遊技盤２０の後面側へ流下し、前枠下部の回収流路（遊技済み球通路）に、アウト口７１，７２および始動口等各種入賞口を通過した遊技球を含めて収集し、発射した遊技球の総数を検出するための前枠下部に備えられたアウト球センサ（発射球数センサ）を通過したのち遊技機外へ排出される。なお、このアウト球センサ（発射球数センサ）は、複数のアウト口７１，７２の共通センサ（シングルセンサ）として構成されており、各アウト口７１，７２を通過した遊技球を該共通センサ（アウト球センサ）で検出することで、コスト低減を図ることができるとともに、回収流路（遊技済み球通路）の省スペース化を図ることができる。
【００１６】
第１始動入賞装置２００は、第１特別図柄遊技に対応する始動入賞装置として設けられている。この第１始動入賞装置２００には、遊技球が入球可能な第１始動口２０１（図５等を参照）が設けられている。第１始動口２０１への遊技球の入球は、第１特別図柄抽選の契機となる。
【００１７】
第２始動入賞装置３００は、第２特別図柄遊技に対応する始動入賞装置（後述の普通図柄抽選で当選した場合に作動する普通電動役物）として設けられている。この第２始動入賞装置３００には、遊技球が入球可能な第２始動口３０１（図１０等を参照）が設けられている。第２始動口３０１への遊技球の入球は、第２特別図柄抽選の契機となる。第２始動入賞装置３００は、遊技球が第２始動口３０１へ入球可能又は入球容易な開状態と、遊技球が第２始動口３０１へ入球不能又は入球困難な閉状態とに変化する。つまり、第２始動入賞装置３００は、開状態に変位しなければ遊技球が第２始動口３０１へ入球し難い構造となっており、後述の所定の契機（普通図柄抽選に当選する契機）で開状態となると遊技球の入球容易性が高くなる。
【００１８】
一般入賞装置４００は、３つの一般入賞口４０１〜４０３（図５等を参照）を備えて構成されている。各一般入賞口４０１〜４０３への遊技球の入球は、特別図柄抽選又は普通図柄抽選の契機とはならないが、他の入賞装置（作動ゲート装置６１を除く）と同じく賞球払出の契機となる。
【００１９】
作動ゲート装置６１は、普通図柄遊技に対応する始動入賞口として設けられている。この作動ゲート装置６１には、遊技球が通過可能な作動ゲート（図示せず）が設けられている。作動ゲートへの遊技球の通過は、第２始動口３０１を開状態とするか否かを決定するための普通図柄抽選の契機となる。
【００２０】
第１大入賞装置６２は、第１特別図柄抽選又は第２特別図柄抽選の抽選結果が大当り（後述の小当り発展大当りを含む）となった場合に開閉作動するアタッカー装置（特別電動役物）として構成されている。すなわち、第１大入賞装置６２は、大当り遊技に対応するアタッカー装置である。この第１大入賞装置６２には、遊技球が入球可能な第１大入賞口（図示せず）が設けられている。第１大入賞装置６２は、遊技球が第１大入賞口へ入球可能又は入球容易な開状態と、遊技球が第１大入賞口へ入球不能又は入球困難な閉状態とに変化する。大当り遊技においては、第１大入賞装置６１の開閉作動を伴う複数回のラウンド遊技（単位遊技）が行われる。
【００２１】
第２大入賞装置６３は、第１特別図柄抽選又は第２特別図柄抽選の抽選結果が小当りとなった場合に開閉作動するアタッカー装置（特別電動役物）として構成されている。すなわち、第２大入賞装置６３は、小当り遊技に対応するアタッカー装置である。この第２大入賞装置６３には、遊技球が入球可能な第２大入賞口（図示せず）が設けられている。第２大入賞装置６３は、遊技盤２０の盤面と直交する方向（前後方向）に向かってスライド移動する開閉部材を有する所謂スライド式アタッカーであり、遊技球が第２大入賞口へ入球可能又は入球容易な開状態と、遊技球が入球不能又は入球困難な閉状態とに可変する。小当り遊技においては、第２大入賞装置６３の開放を伴う１回のラウンド遊技（単位遊技）が行われる。ここで、第２大入賞装置６３の内部には、遊技球が通過可能な不図示の特定領域（Ｖゾーン）が設けられている。第２大入賞口に入球した遊技球は、該第２大入賞装置６３に設けられた開閉部材（弁部材）により流下経路を振り分けられることで、特定領域又はそれ以外の非特定領域を通過する。遊技球が特定領域を通過すると、「小当り遊技」から「大当り遊技」に発展して（すなわち「小当り発展大当り」に昇格して）、第１大入賞装置６２の開閉作動を伴う複数回のラウンド遊技が行われる。本実施形態の遊技機においては、小当り遊技に対応するアタッカーとしてスライド式アタッカーを使用しているが、これは、遊技球を開閉部材の上部での滞留期間を長くし、小当り遊技において開閉部材が開閉された際に高確率で特定領域（Ｖゾーン）へ入球させやすいためである。
【００２２】
なお、本実施形態において、これら二つの大入賞口は、遊技領域ＰＡにおける右側領域ＰＡ２に設けられている。そのため、大当り遊技又は小当り遊技では、遊技領域ＰＡに向けて遊技球を発射する際に、右側領域ＰＡ２を狙って打つ、いわゆる右打ちを行うことで、第１大入賞口又は第２大入賞口への入球が容易となっている。
【００２３】
なお、センター役物２６の下方には、詳細後述する始動口ユニット２８が内レール２２の内周面に沿って取り付けられており、この始動口ユニット２８に上述の第１始動入賞装置２００、第２始動入賞装置３００、一般入賞装置４００および二つのアウト口７１，７２が配設されている。
【００２４】
続いて、ぱちんこ遊技機ＰＭの背面側の基本構造を説明する。前枠２の背面側には、図２に示すように、中央に前後連通する窓口を有して前枠２よりも幾分小型の矩形枠状に形成された裏セット盤３０が取り付けられている。裏セット盤３０の各部には、遊技施設側から供給される多数個の遊技球を貯留する貯留タンク３３、貯留タンク３３からの遊技球を流下させる樋部材３４、樋部材３４により導かれた遊技球を払い出す賞球払出ユニット３５、賞球払出ユニット３５から払い出された遊技球を上球皿６又は下球皿７へ流下させる裏側通路部材３６などが設けられている。
【００２５】
遊技盤２０の背面側には、ぱちんこ遊技機ＰＭの作動を統括的に制御する主制御基板５１や、演出全般の制御を行う演出制御基板５２、遊技展開に応じた画像表示、効果音の制御を行う画像制御基板５３などが取り付けられている。なお、本実施形態では、演出制御基板５２および画像制御基板５３は、演出表示装置（液晶表示装置）２７と一体化されたアッセンブリ状態で液晶ユニット２８を構成している。これに対して、裏セット盤３０の背面側には、遊技球の払い出しに関する制御を行う払出制御基板５４や、遊技施設側から受電して各種制御基板や電気・電子部品に電力を供給する電源基板（図示せず）などが取り付けられている。なお、これらの制御基板は、不正改造防止のため、カシメ構造及び封印シール構造を有する透明樹脂製の基板ケースに収容されたアッセンブリ状態で遊技盤２０の背面又は裏セット盤３０の背面の所定位置にそれぞれ配設される。これらの制御基板とぱちんこ遊技機ＰＭ各部の電気・電子部品とがハーネス（コネクタケーブル）を介して相互に接続されて、ぱちんこ遊技機ＰＭが作動可能に構成されている。
【００２６】
［遊技機の基本動作］
以上のように構成される、ぱちんこ遊技機ＰＭは、外枠１が遊技施設の遊技島に固定設置され、前枠２、ガラス枠５等が閉鎖施錠された状態で遊技に供され、遊技球を上球皿６に貯留させて発射ハンドル９を回動操作することにより遊技が開始される。発射ハンドル９が回動操作されると、上球皿６に貯留された遊技球が、球送り機構によって１球ずつ発射機構に送り出され、該発射機構により遊技領域ＰＡに向けて打ち出される。
【００２７】
遊技領域ＰＡを転動流下する遊技球が、第１始動口２０１、第２始動口３０１、一般入賞口４０１〜４０３、第１大入賞口、第２大入賞口のいずれかに入球すると、その入賞口の種別に応じた個数の賞球が賞球払出ユニット３５により上球皿６又は下球皿７に払い出される。例えば、遊技球が第１始動口２０１に入球した場合の賞球数は「４個」、第２始動口３０１に入球した場合の賞球数は「３個」、第１大入賞口又は第２大入賞口に入球した場合の賞球数は「１５個」、一般入賞口４０１〜４０３に入球した場合の賞球数は「３個」である。
【００２８】
また、遊技球が第１始動口２０１又は第２始動口３０１に入球すると、特別図柄の抽選乱数値が取得され、当該抽選乱数値を所定の上限個数まで保留情報（保留球）として一時記憶する。そして、所定の始動条件（変動開始条件）が成立すると、最先の保留球に係る抽選乱数値に基づき、特別図柄の当否判定、図柄判定、変動パターン判定を行い、その判定結果に応じた表示態様で、第１特別図柄又は第２特別図柄が変動表示されるとともに、装飾図柄が変動表示される。特別図柄および装飾図柄の変動表示は、前記選択された変動パターンに応じた変動時間の経過後に同期的に停止表示（確定表示）される。
【００２９】
第１特別図柄又は第２特別図柄が大当りを示す停止表示態様で確定表示された場合、大当り遊技状態に移行して、第１大入賞装置６２の開閉作動を伴う大当り遊技（複数回のラウンド遊技）が開始される。なお、大当りを示す装飾図柄の停止表示態様は、例えば３つの装飾図柄が全て一致した組合せ態様である。本実施形態では、大当りの種別（大当り図柄の種類）に応じて、規定ラウンド数の異なる複数種の大当り遊技のうちのいずれかが実行される。大当り遊技は、第１大入賞装置６２の１回又は複数回の開閉動作を１回のラウンド遊技とし、当該ラウンド遊技を規定ラウンド数（例えば、１６ラウンド、８ラウンド、２ラウンド）だけ連続して実行するものである。
【００３０】
一方、第１特別図柄又は第２特別図柄が小当りを示す停止表示態様で確定表示された場合、小当り遊技状態に移行して、第２大入賞装置６３の開閉動作を伴う小当り遊技（１回のラウンド遊技）が開始される。この小当り遊技において、第２大入賞装置６３内に設けられた特定領域（Ｖゾーン）に遊技球が入球すると、「小当り遊技」から「大当り遊技」に発展して、その大当り遊技として、第１大入賞装置６２の開閉作動を伴う複数回のラウンド遊技が行われる。なお、本実施形態においては、第１特別図柄の当否抽選よりも、第２特別図柄の当否抽選の方が、高確率で小当りに当選するように構成されている。例えば、第２特別図柄の当否抽選における小当りの当選確率は「約１０分の１程度」に設定される。このように第２特別図柄の当否抽選では、小当りの当選確率が高確率に設定されている。その結果、電チューサポート状態（時短遊技状態）においては、第２始動口３０１への遊技球の入球を契機として小当りが発生しやすくなっている。
【００３１】
ここで、特別図柄抽選にて小当り発展大当りを含む大当りのうち「特定の大当り」に当選した場合には、特別遊技（大当り遊技）の終了後に、特別図柄の変動時間短縮機能および電チューサポート機能が作動する場合がある。
【００３２】
すなわち、特別図柄の変動時間短縮機能が作動すると、特別図柄及び装飾図柄の平均的な変動時間が通常よりも短縮される傾向となり、単位時間当たりの特別図柄抽選回数が向上する（単位時間当たりの大当りの獲得容易性を高めることができる）。
【００３３】
さらに、特別図柄の変動時間短縮機能が作動すると、これに付随して、電チューサポート機能が作動する。電チューサポート機能は、普通図柄の確率変動機能、普通図柄の変動時間短縮機能、普通電動役物（第２始動入賞装置３００）の開放延長機能が作動することにより、第２始動口３０１への入球容易性が高められる状態（「入球容易状態」とも称する）である。なお、普通図柄の確率変動機能が作動すると、普通図柄の当選確率が通常状態よりも高まる状態となる。普通図柄の変動時間短縮機能が作動すると、普通図柄の変動時間が短縮される状態となる。普通電動役物の開放時間延長機能が作動すると、普通電動役物の開放時間が通常状態よりも延長された状態となる。この入球容易状態においては、一定時間あたりの普通図柄の変動回数が通常よりも増加する可能性が高まる上、第２始動口３０１への入球容易性も高まるため、第２始動口３０１への入球数が増加する可能性も向上する。したがって、特別図柄の変動時間短縮機能及び電チューサポート機能の作動により、その期間中は第２始動口３０１への入球による賞球を得られる機会が増加する結果、持ち球をほとんど減らさずに遊技を継続することが可能となる。
【００３４】
なお、特別遊技（大当り遊技）の終了後、遊技状態が時短遊技状態に移行すると（変動時間短縮機能および電チューサポート機能が作動すると）、第２始動口３０１への遊技球の入球を契機とした小当りが発生しやすくなり、該小当りから大当りへ発展する可能性も高くなる。また、時短遊技状態において小当りが発生した場合は、通常状態において小当りが発生した場合よりも、その大当り遊技の終了後に遊技状態が時短状態へ移行する確率が高くなる。そのため、小当りＶと呼ばれる本機種では、時短遊技状態において小当り発展大当りを繰り返して、いわゆる「連荘」を継続させることを狙った遊技性となる。すなわち、時短遊技状態を継続させることで、電チューサポート状態（入球容易状態）のもと、遊技球を第２始動入賞装置へ入球させることで、小当りＶを狙う遊技が継続できるようになる。一方、大当り遊技の終了後に、遊技状態が時短遊技状態へ移行しなかった場合（通常遊技状態へ移行した場合）には、電チューサポート状態（入球容易状態）が終了してしまい、第２始動口３０１への遊技球の入球が困難（実質的に不可能）となるため、第１始動口２０１を狙った遊技性となる。なお、小当り遊技において、遊技球を特定領域（Ｖソーン）に入球させることができなかった場合は、大当り遊技に移行せず、小当り発生前の遊技状態が継続することになる。
【００３５】
［始動口ユニットの構成］
次に、本実施形態に係る始動口ユニット２８について、図４〜図１４を追加参照して説明する。
【００３６】
始動口ユニット２８は、遊技盤２０に着脱可能に取り付けられるユニット本体１００と、遊技球が入球可能な第１始動口２０１を有する第１始動入賞装置２００と、第１始動口２０１の下方に配設されて遊技球が入球可能な第２始動口３０１を有する第２始動入賞装置３００と、第１始動口２０１の左方に配設されて遊技球が入球可能な一般入賞口４０１〜４０３を有する一般入賞装置４００と、第２始動口３０１の左方に配設されて遊技球が流入可能な第１アウト口７１と、第２始動口３０１の下方に配設されて遊技球が流入可能な第２アウト口７２とを主体として構成される。この始動口ユニット２８は、センター役物２６の下方に配設されて、遊技領域ＰＡの下部領域を構成している。
【００３７】
ユニット本体１００は、図７および図８に示すように、遊技盤２０の前面側に取り付けられて該ユニット本体１００の取付ベースとなる基盤部材１１０と、この基盤部材１１０の前面側に取り付けられる前側通路形成部材１２０と、遊技盤２０の後面側に取り付けられる装飾部材１３０，１４０と、装飾部材１３０，１４０の後面側に取り付けられる後側通路形成部材１５０と、後側通路形成部材１５０の後面側に取り付けられる通路カバー部材１６０，１７０と、後側通路形成部材１５０の後面側に取り付けられる電飾カバー部材１８０，１９０とを備えて構成される。このユニット本体１００を構成する各構成部材１１０〜１９０は、合成樹脂材を用いて図示する形状に形成されている（装飾部材１３０，１４０は遊技球の流路を目隠しするため不透明な合成樹脂材、それ以外の構成部材は無色透明又は有色透明な合成樹脂材を用いて形成されている）。なお、前側通路形成部材１２０や基盤部材１１０の前面側の装飾箇所には、例えば文字や絵柄、模様などが印刷されたシールが貼着されて装飾されている（遊技球の流路を目隠しする）。そして、ユニット本体１００は、これら複数の構成部材１１０〜１９０が遊技盤２０を挟んで前後に重なり合うように取り付けられることで一体化される。なお、基盤部材１００の後面側には、遊技盤２０に位置決めするための複数のボス１１７が突設されている。
【００３８】
基盤部材１１０は、その前面が遊技盤２０の盤面と略面一となる状態で取り付けられている。この基盤部材１１０の前面側には、第１始動口２０１、第２始動口３０１、一般入賞口４０１〜４０３、第１アウト口７１、第２アウト口７２が設けられており、遊技領域ＰＡを流下する遊技球が該基盤部材１１０の前面側へ到達して第１始動口２０１、第２始動口３０１、一般入賞口４０１〜４０３、第１アウト口７１、第２アウト口７２に流入可能に構成されている。それでは以下において、各入賞装置２００，３００，４００および各アウト口７１，７２の具体的な構成について詳述する（ユニット本体１００を構成する上記の各構成部材１１０〜１９０についても併せて説明する）。なお、以下の説明においては、基盤部材１１０の前面側とは、遊技盤２０の前面側と略同一の意味で用い、基盤部材１１０の後面側とは、遊技盤２０の後面側と略同一の意味で用いる。
【００３９】
第１始動入賞装置２００は、前側通路形成部材１２０の上端に形成されて遊技球が入球可能な第１始動口２０１と、後側通形成部材１５０と通路カバー部材１６０との間に跨って形成されて第１始動口２０１に入球した遊技球が流下する第１始動口排出通路２１０と、後側通路形成部材１５０と通路カバー部材１６０との間に設けられて第１始動口排出通路２１０を流下する遊技球を検出する第１始動入賞センサ２２０とを備えて構成される。
【００４０】
第１始動口２０１は、上方に向けて開口された常時開放型の入賞口である。この第１始動口２０１には、主として左側領域ＰＡ１を流下する遊技球（左打ちした遊技球が）が入球可能となっている。第１始動口２０１への遊技球の入球は、前述したように、第１特別図柄抽選の契機となる。第１始動口２０１は、基盤部材１１０の上端に前後に延びて形成された第１始動入賞連絡口１１１を介して、遊技盤２０の後面側に設けられた第１始動口排出通路２１０に連通している。
【００４１】
第１始動口排出通路２１０は、後側通路形成部材１５０に前後貫通して形成された流入側通路部２１１と、後側通路形成部材１５０と通路カバー部材１６０との間に形成された流出側通路部２１２とを備えている。流入側通路部２１１は、遊技球約１個分の通路幅を有して、ほぼ前後方向に延びて形成されている（前側から後側へ向かって下り傾斜している）。この流入側通路部２１１は、基盤部材１１０に形成された第１始動入賞連絡口１１１を介して第１始動口２０１に繋がっている。一方、流出側通路部２１２は、遊技球約１個分の通路幅を有して、流入側通路部２１１の下流端に繋がって下方に延びたのち、略Ｌ字状に屈曲して緩やかに右斜め下方に延出している。流出側通路部２１２の途中には、第１始動口排出通路２１０を流下する遊技球を検出する第１始動入賞センサ２２０が取り付けられている。
【００４２】
第１始動入賞センサ２２０は、遊技球の通過を検出する通過型センサ（例えば電磁誘導型の近接センサ）であり、後側通路形成部材１５０の後面側に形成されたセンサ装着溝１５１と通路カバー部材１６０の前面側に形成されたセンサ装着溝１６１との間に跨って取り付けられている。この第１始動入賞センサ２２０は、遊技球が検出口２２０ａを通過すると、この検出口２２０ａの周囲に配置されたコイル（図示せず）のインピーダンスが変化することにより、遊技球（金属物体）を検出する。その変形例として、第１始動入賞センサ２２０は、例えばフォトセンサ等の光学式センサにより構成されていてもよい。第１始動入賞センサ２２０は、主制御基板５１と電気接続されており、遊技球が検出口２２０ａを通過したときに検出信号を生成して、この検出信号を主制御基板５１に出力する。
【００４３】
ここで、後側通路形成部材１５０の後面側には、その間に通路カバー部材１６０を挟んで、前面側が開放された略矩形箱状の電飾カバー部材１８０が取り付けられる。この電飾カバー部材１８０の前面側には、第１始動口２０１の周囲を電飾するためのＬＥＤ基板１８１が取り付けられている。ＬＥＤ基板１８１は、電飾するための発光体として表面実装型のＬＥＤ（フルカラーＬＥＤ）１８２を備えている。本実施形態では、ＬＥＤ基板１８１上には複数個のＬＥＤ１８２が分散配置されており、各ＬＥＤ１８２の光が装飾部材１３０，１４０や後側通路形成部材１５０、通路カバー部材１６０などを透過、反射又は拡散等して、第１始動口２０１の周囲を発光するようになっている。
【００４４】
なお、第１始動口排出通路２１０の下流端に到達した遊技球は、該下流端に上下貫通して形成された球排出口２１３を通じて遊技盤２０の下方へ落下し、この遊技盤２０の下方に配置された不図示の遊技済み球通路を流下した後、機外（当該遊技機ＰＭの外部）へ排出され、最終的には遊技島（遊技ホール施設）に回収される。
【００４５】
第２始動入賞装置３００は、基盤部材１１０と前側通路形成部材１２０との間に形成されて遊技球が入球可能な第２始動口３０１と、第２始動口３０１の上流側に繋がって形成されて遊技球が流入可能な振分通路３１０と、基盤部材１１０の後面側に取り付けられて該入賞装置３００の駆動源となる駆動機構３２０と、振分通路３１０内に流入した遊技球の流下経路を第２始動口３０１又は第２アウト７２へと振り分ける振分部材３３０と、振分部材３３０と連動して第２始動口３０１を開閉する可動部材３４０と、第２始動口３０１に入球した遊技球が流下する第２始動口排出通路３５０と、第２始動口排出通路３５０を流下する遊技球を検出する二つの第２始動入賞センサ３６１，３６２とを備えて構成される。なお、本実施形態において、この第２始動口３０１への遊技球の入球に基づく第２特別図柄の当否抽選では、前述したように、小当りの当選確率が高確率（例えば１０分の１）に設定されているため、不正入球対策の強化として、二つの第２始動入賞センサ３６１，３６２を用いたダブルセンサ方式を採用している。また、ダブルセンサは、その他の利用方法として、不正入球対策ではなく、遊技球の球詰まり対策としても使用できる。例えば、下流側のセンサ（下流側第２始動入賞センサ３６２）まで遊技球が滞留するような状況となった場合に、上流側のセンサ（上流側第２始動入賞センサ３６１）で検出した情報に基づいて、第２特別図柄の当否抽選に係る権利（保留情報）を取得可能とすることにより、遊技者が球詰まり等による不利益を被る事態を防止することができる。具体的には、或る遊技状態において第２特別図柄の作動保留球を４つ獲得させる遊技（例えば、Ａ．入球容易状態が第２特別図柄の１変動で終了するものであり、当該１変動の間に普通電動役物を作動させて第２特別図柄の作動保留球を４つ獲得させ、合計５回の第２特別図柄の変動を実行させるものや、Ｂ．非入球容易状態における普通図柄抽選で普通電動役物の長時間の開放を伴う普通図柄が当選することのある遊技機など）を採用した場合に、第２特別図柄の作動保留球を１つしか獲得できずに当該状況が終了してしまった場合、著しく遊技者に不利となるため、ダブルセンサのうち上流側のセンサと下流側のセンサとの間に複数個の遊技球（好ましくは４球）が滞留できる間隔を設け、上流側のセンサで保留（始動入賞）の獲得を可能とするように設計し、下流側のセンサは確認用とすることで、前述のような不利益を解消するものとしてもよい。
【００４６】
振分通路３１０は、基盤部材１１０の前面と前側通路形成部材１２０の後面との間において、遊技球約１個分の通路幅を有して、ほぼ左右方向に延びて形成されている。この振分通路３１０の上流端は、右斜め上方に向けて開口して遊技領域ＰＡ（主に右側領域ＰＡ２）を流下する遊技球が当該振分通路３１０へ流入可能となるように形成されている。また、この振分通路３１０の途中にて、前側通路形成部材１２０に形成された左右の通路壁部１２１，１２２の間には、上下方向に開口して振分通路３１０内に在る遊技球を第２アウト口７２へ向けて流下させる球流出口３１１が形成されている。この球流出口３１１は、振分部材３３０により開閉可能に構成されている。
【００４７】
第２始動口３０１は、基盤部材１１０の前面と前側通路形成部材１２０の後面との間で、振分通路３１０の下流端に繋がって、左右方向に開口して形成されている。第２始動口３０１への遊技球の入球は、前述したように、第２特別図柄抽選の契機となる。この第２始動口３０１は、可動部材３４０により開閉可能に構成されている。
【００４８】
駆動機構３２０は、図１３〜図１４等に示すように、基盤部材１１０の後面側に取り付けられる箱状のケース体３２１と、このケース体３２１に取り付けられるソレノイド（普通電動役物ソレノイド）３２２と、ソレノイド３２２の伸縮駆動に応じて左右方向に往復移動するスライド部材３２３と、スライド部材３２３に係合連結されて水平面内で回転変位する伝達部材３２４とを備えている。なお、図１３〜図１４では、駆動機構３２０の構造を分かり易くするため、ケース体３２１の上面開口を塞ぐカバー体の図示を省略しているが、実際にはケース体３２１の上面側には該カバー体が着脱自在に取り付けられるようになっている。
【００４９】
ケース体３２１は、前面および上面が開放された矩形箱状に形成されており、その内部空間にソレノイド３２２、スライド部材３２３および伝達部材３２４が収容されている。このケース体３２１の内部には、振分部材３３０および可動部材３４０が前後方向にスライド自在に取り付けられている。また、このケース体３２１の上面側には、該上面開口を閉塞するための上記のケース体（図示せず）が取り付けられる。
【００５０】
ソレノイド３２２は、不図示の電磁コイルが内蔵されたソレノイド本体３２２ａと、電磁コイルの通電／非通電により軸方向（左右方向）に伸縮駆動されるプランジャ３２２ｂとを備えた電動アクチュエータである。プランジャ３２２ｂの先端部には、スライド部材３２３が連結されている。ソレノイド本体３２２ａとスライド部材３２３との間には、プランジャ３２２ａの外周に巻回されて該プランジャ３２２ａを伸長方向（左方向）に付勢するためのコイルバネ（図示省略）が介装されている。
【００５１】
スライド部材３２３は、左右方向にスライド自在（往復動自在）となるようにケース体３２１に取り付けられている。スライド部材３２３の前端部には、上下方向に延びる軸状の係合突起３２３ａが形成されている。スライド部材３２３は、プランジャ３２２ｂの先端部に連結されており、プランジャ３２２ｂの伸縮駆動に応じて左右方向にスライド可能となっている。
【００５２】
伝達部材３２４は、ケース体３２１の下面に回転自在に軸支されて上下方向に延びる段付円筒状の軸部３２５と、この軸部３２５の上半部に固定されて軸部３２５と一体回転する上側伝達部３２６と、この軸部３２５の下半部に固定されて軸部３２５と一体回転する下側伝達部３２７とを備えている。上側伝達部３２６は、軸部３２５と直交する方向（水平方向）に延びる略平板状に形成されている。この上側伝達部３２６には、スライド部材３２３の係合突起３２３ａが係合される略Ｕ字形の係合溝３２６ａが形成されるとともに、可動部材３４０の係合突起３４１が係合される略Ｕ字状の係合溝３２６ｂが形成されている。同じく、下側伝達部３２７は、軸部３２５と直交する方向（水平方向）に延びる略平板状に形成されている。この下側伝達部３２７には、振分部材３３０の係合突起３３１が係合される略Ｕ字形の係合溝３２７ａが形成されている。なお、下側伝達部３２７は、上側伝達部３２６に対して、上方から見た平面視において、中心軸回り（軸部３２５の回り）に約１８０度だけオフセットした角度方向を指向して配置されている。この伝達部材３２４は、上側伝達部３２６の係合溝３２６ａがスライド部材３２３の係合突起３２３ａと係合することで、スライド部材３２３の左右方向のスライド移動に応じて、軸部３２５を中心に回転可能である。すなわち、スライド部材３２３が右方向にスライド移動することで、伝達部材３２４はＸ方向（図１３を参照）に回転し、スライド部材３２３が左方向にスライド移動することで、伝達部材３２４はＹ方向（図１４を参照）に回転する。そして、この伝達部材３２４は、スライド部材３２３の左右方向への直線運動を、後述の振分部材３３０および可動部材３４０の前後方向への直線運動に変換する。
【００５３】
振分部材３３０は、球流出口３１１の開口幅（左右長さ）に対応した板幅（左右長さ）を有した平板状に形成されており、遊技盤２０の盤面と直交する方向（前後方向）に沿ってスライド可能となるようにケース体３２１に取り付けられている。振分部材３３０は、基盤部材１１０に前後貫通して形成されたスライド挿通口１１２を通じて基盤部材１１０の前面側に突出可能となっている。振分部材３３０には、上方に突出する係合突起３３１が形成されており、この係合突起３３１に下側伝達部３２７の係合溝３２７ａが係合される。それにより、振分部材３３０は、伝達部材３２４（下側伝達部３２７）の回転に応じて、スライド挿通口１１２から前方に突出して球流出口３１１を閉鎖する閉鎖位置と、スライド挿通口１１２内へ向けて後方に退避して球流出口３１１を開放する開放位置との間で、前後方向にスライド可能となる。また、振分部材３３０には、前後方向（スライド方向）に延出するＵ字状の長穴３３２が形成されており、この長穴３３２に伝達部材３２４の回転中心軸となる軸部３２５が挿通されている。そのため、振分部材３３０が前後方向にスライド移動したとしても、常に軸部３２５は振分部材３３０の長穴３３２に挿通された状態で回転可能である。この振分部材３３０は、開放位置又は閉鎖位置にスライド移動することで、振分通路３１０内に流入する遊技球を第２始動口３０１又は第２アウト口７２へ振り分ける。
【００５４】
可動部材３４０は、「く」の字形に屈曲して延びる角柱状に形成されており、遊技盤２０の盤面と直交する方向（前後方向）に沿ってスライド可能となるようにケース体３２１に取り付けられている。可動部材３４０は、基盤部材１１０に前後貫通して形成されたスライド挿通口１１２を通じて基盤部材１１０の前面側に突出可能となっている。可動部材３４０には、上方に突出する係合突起３４１が形成されており、この係合突起３４１に上側伝達部３２６の係合溝３２６ｂが係合されている。それにより、可動部材３４０は、伝達部材３２４（上側伝達部３２６）の回転に応じて、スライド挿通口１１２から前方に突出して第２始動口３０１を閉鎖する閉鎖位置と、スライド挿通口１１２内へ向けて後方に退避して第２始動口３０１を開放する開放位置との間で、前後方向にスライド可能となる。つまり、可動部材３４０は、振分部材３３０と連動して、前後方向にスライド移動するようになっている。具体的には、振分部材３３０及び可動部材３４０は、前後方向に互い違いにスライド移動して、振分部材３３０が開放位置にあるとき可動部材３４０は閉鎖位置にあり、振分部材３３０が閉鎖位置にあるとき可動部材３４０は開放位置にある。
【００５５】
このような構成の駆動機構３２０において、ソレノイド３２２の電磁コイルが通電状態となると、図１３に示すように、プランジャ３２２ｂが不図示のコイルバネの付勢力に抗してソレノイド本体３２２ａに対して縮小駆動して、スライド部材３２３が右方向にスライド移動する。スライド部材３２３が右方向にスライド移動すると、伝達部材３２４が軸部３２５回りにＸ方向に回転することで、振分部材３３０が前方（球流出口３１１を閉鎖する方向）に向けて移動するとともに、可動部材３４０が後方（第２始動口３０１を開放する方向）に向けて移動する。それにより、振分部材３３０は球流出口３１１を閉鎖する閉鎖位置に変位し、可動部材３４０は第２始動口３０１を開放する開放位置に変位する。そのため、振分通路３１０内に流入してきた遊技球は、球流出口３１１を閉鎖する振分部材３３０の上面を転動して、その左方の第２始動口３０１へ向けて流下する。すなわち、振分通路３１０内における遊技球の流下経路が、第２始動口３０１へと向かう経路に振り分けられる。このとき、第２始動口３０１は可動部材３４０により開放されているため、第２始動口３０１への遊技球の入球が可能又は容易である。このように、振分部材３３０が閉鎖位置にあり且つ可動部材３４０が開放位置にあるときは、第２始動口３０１は遊技球が入球可能又は入球容易な「閉状態」となる。
【００５６】
一方、ソレノイド３２２の電磁コイルが非通電状態となると、図１４に示すように、プランジャ３２２ａが不図示のコイルバネの付勢力によりソレノイド本体３２２ａに対して伸長駆動して、スライド部材３２３が左方向にスライド移動する。スライド部材３２３が左方向にスライド移動すると、伝達部材３２４が軸部３２５回りにＹ方向に回転することで、振分部材３３０が後方（球流出口３１１を開放する方向）に向けて移動するとともに、可動部材３４０が前方（第２始動口３０１を閉鎖する方向）に向けて移動する。それにより、振分部材３３０は球流出口３１１を開放する開放位置に変位し、可動部材３４０は第２始動口３０１を閉鎖する閉鎖位置に変位する。そのため、振分通路３１０内に流入してきた遊技球は、振分部材３３０にて開放された球流出口３１１に落下して、その下方の第２アウト口７２へ向けて流下する。すなわち、振分通路３１０内における遊技球の流下経路が、第２アウト口７２へと向かう経路に振り分けられる。このとき、第２始動口３０１は可動部材３４０により閉鎖されているため、勢いのある遊技球が球流出口３１１を飛び越えて第２始動口３０１へ向かっていったり、第２アウト口７２側へ落下した遊技球が弾んで第２始動口３０１へ向かっていったとしても、該遊技球は第２始動口３０１に入球することはできず、可動部材３４０の外面に弾かれて球流出口３１１へ落下する。このように、振分部材３３０が開放位置にあり且つ可動部材３４０が閉鎖位置にあるときは、第２始動口３０１は遊技球が入球不能又は入球困難な「閉状態」となる。
【００５７】
第２始動口排出通路３５０は、遊技盤２０の前面側に形成された前面側通路部３５１と、遊技盤２０の後面側に形成された後面側通路部３５２とを備えている。前面側通路部３５１は、前側通路形成部材１２０の後面側に形成され、遊技球約１個分の通路幅を有して、ほぼ左右方向に延びて形成されている（右側から左側へ向かって下り傾斜している）。前面側通路部３５１の上流端には、上記の第２始動口３０１が繋がっており、第２始動口３０１に入球した遊技球が該前面側通路部３５１に流入可能となっている。前面側通路部３５１の上流側には、第２始動口３０１から該前面側通路部３５１へ流入してきた遊技球を検出する第２始動入賞センサ（「上流側第２始動入賞センサ」とも呼称する）３６１が設けられている。また、前面側通路部３５１の下流端には、該前面側通路部３５１の下流端に到達した遊技球を検出する第２始動入賞センサ（「下流側第２始動入賞センサ」とも呼称する）３６２が設けられている。この下流側第２始動入賞センサ３６２を通過した遊技球は、遊技盤２０の後面側に設けられた後面側通路部３５２に流入する。後面側通路部３５２は、基盤部材１１０に前後貫通して形成された前通路形成壁部１１３と、駆動機構３２０のケース体３２１に前方および下方が開放されて形成された後通路形成壁部３２９とに跨って形成され、遊技球約１個分の通路幅を有して、ほぼ前後方向に延びて形成されている（前側から後側へ向かって下り傾斜している）。
【００５８】
第２始動入賞センサ３６１，３６２は、遊技球の通過を検出する通過型センサ（例えば電磁誘導型の近接センサ）である。この第２始動入賞センサは、遊技球が検出口３６１ａ，３６２ａを通過すると、この検出口３６１ａ，３６２ａの周囲に配置されたコイル（図示せず）のインピーダンスが変化することにより、遊技球（金属物体）を検出する。その変形例として、第２始動入賞センサ３６１，３６２は、例えばフォトセンサ等の光学式センサにより構成されていてもよい。
【００５９】
上流側第２始動入賞センサ３６１は、基盤部材１１０の前面側に形成されたセンサ装着孔１１４と前側通路形成部材１２０の後面側に形成されたセンサ装着溝１２３との間に跨って取り付けられている。上流側第２始動入賞センサ３６１の検出口３６１ａは、基盤部材１１０の前面側に配置されて、第２始動口３０１に入球して前面側通路部３５１に流入してきた遊技球が略左右方向に通過可能となるように配置されている。
【００６０】
下流側第２始動入賞センサ３６２は、駆動機構３２０のケース体３２１の前面側に取り付けられて、基盤部材１１０に前後貫通して形成された後面側通路部３５２に挿着されている。下流側第２始動入賞センサ３６２の検出口３６２ａは、基盤部材１１０の前面側に配置されて、前面側通路部３５１の下流端に到達した遊技球が略前後方向に通過可能となるように配置されている。
【００６１】
第２始動入賞センサ３６１，３６２は、主制御基板５１と電気接続されており、遊技球が検出口３６１ａ，３６２ａを通過したときに検出信号を生成して、この検出信号を主制御基板５１に出力する。なお、主制御基板５１は、上流側第２始動入賞センサ３６１、下流側第２始動入賞センサ３６２という順に、その両方から検出信号を入力したときに、遊技球が第２始動口３０１に入球したと判定するようになっている。それにより、第２始動入賞センサ３６１，３６２のいずれか一方のみに対して不正な操作を行っても、第２始動口３０１への入賞を獲得できないような仕組みになっている。
【００６２】
なお、第２始動口排出通路３５０（後面側通路部３５２）の下流端に到達した遊技球は、該下流端に上下貫通して形成された球排出口３５３（図８を参照）を通じて遊技盤２０の下方へ落下し、この遊技盤２０の下方に配置された不図示の遊技済み球通路を流下した後、機外（当該遊技機ＰＭの外部）へ排出され、最終的には遊技島（遊技ホール施設）に回収される。
【００６３】
一般入賞装置４００は、基盤部材１１０に形成されて遊技球が入球可能な３個の一般入賞口４０１，４０２，４０３と、後面側通路部材１５０と通路カバー部材１７０との間に跨って形成されて一般入賞口４０１，４０２，４０３に入球した遊技球が流下する一般入賞口排出通路４１０と、後側通路形成部材１５０と通路カバー部材１７０との間に取り付けられて一般入賞口排出通路４１０を流下する遊技球を検出する一般入賞センサ４２０とを備えて構成される。
【００６４】
一般入賞口４０１〜４０３は、上方に向けて開口された常時開放型の入賞口である。この一般入賞口４０１〜４０３には、左側領域ＰＡ１を流下する遊技球（左打ちした遊技球が）が入球可能となっている。一般入賞口４０１〜４０３への遊技球の入球は、前述したとおり、特別図柄抽選又は普通図柄抽選の契機とはならないが、他の入賞装置（作動ゲート装置６１を除く）と同じく賞球払出の契機となる。これら一般入賞口４０１〜４０３の下方には、内レール２２の内周面に沿って延在（密着）して遊技球を第１アウト口７１へ向けて案内する補助レール面１１８が基盤部材１１０に形成されている。なお、左側領域ＰＡ１を流下する遊技球が、一般入賞口４０１〜４０３のいずれか又は第１始動口２０１に入球しなかった場合には、第１アウト口７１に流入することになる。
【００６５】
一般入賞口排出通路４１０は、後側通路形成部材１５０に前後貫通して形成されて一般入賞口４０１〜４０３にそれぞれ繋がる分岐通路部４１１〜４１３と、後側通路形成部材１５０の後面と通路カバー部材１７０の前面との間に形成されて各分岐通路部４１１〜４１３が合流する合流通路部４１４とからなる。分岐通路部４１１〜４１３は、遊技球約１個分の通路幅を有して、ほぼ前後方向に延びて形成されており（前側から後側へ向かって下り傾斜しており）、装飾部材１３０に前後貫通して形成された一般入賞連絡口１３１〜１３３を介して一般入賞口４０１〜４０３にそれぞれ繋がっている。合流通路部４１４は、遊技球１個分の通路幅を有して、各分岐流路部４１１〜４１３との合流部からＬ字状に屈曲して下方に延出している。合流通路部４１４の途中には、一般入賞口排出通路４１０（合流通路部４１４）を流下する遊技球を検出する一般入賞センサ４２０が設けられている。
【００６６】
一般入賞センサ４２０は、後側通路形成部材１５０に形成されたセンサ装着溝１５２と通路カバー材１７０に形成されたセンサ装着溝１７１との間に跨って取り付けられている。一般入賞センサ４２０は、遊技球の通過を検出する通過型センサ（例えば電磁誘導型の近接センサ）である。この一般入賞センサ４２０は、遊技球が検出口４２０ａを通過すると、この検出口４２０ａの周囲に配置されたコイル（図示せず）のインピーダンスが変化することにより、遊技球（金属物体）を検出する。その変形例として、一般入賞センサ４２０は、例えばフォトセンサ等の光学式センサにより構成されていてもよい。一般入賞センサ４２０は、主制御基板５１と電気接続されており、遊技球が検出口４２０ａを通過したときに検出信号を生成して、この検出信号を主制御基板５１に出力する。なお、この一般入賞センサ４２０は、コスト低減等の観点から、三つの一般入賞口４０１〜４０３の共通センサ（シングルセンサ）として構成されており、いずれの一般入賞口４０１〜４０３への遊技球の入球も検出可能である。
【００６７】
後側通路形成部材１５０の後面側には、その間に通路カバー部材１７０を挟んで、前面側が開放された略矩形箱状の電飾カバー部材１９０が取り付けられる。電飾カバー部材１９０の前面側には、第２始動口３０１の周囲や一般入賞口４０１〜４０３の周囲を電飾するためのＬＥＤ基板１９１が取り付けられている。ＬＥＤ基板１９１は、電飾するための発光体として表面実装型のＬＥＤ（フルカラーＬＥＤ）１９２を備えている。本実施形態では、ＬＥＤ基板１９１上には複数個のＬＥＤ１９２が分散配置されており、各ＬＥＤ１９２の光が装飾部材１３０，１４０や後側通路形成部材１５０、通路カバー部材１７０などを透過、反射又は拡散等して、第２始動口３０１の周囲や一般入賞口４０１〜４０３の周囲を発光するようになっている。
【００６８】
なお、一般入賞口排出通路４１０の下流端に到達した遊技球は、該下流端に上下貫通して形成された球排出口４１５を通じて遊技盤２０の下方へ落下し、この遊技盤２０の下方に配置された不図示の遊技済み球通路を流下した後、機外（当該遊技機ＰＭの外部）へ排出され、最終的には遊技島（遊技ホール施設）に回収される。
【００６９】
第１アウト口７１は、第１始動口２０１の左斜め下方、且つ、第２始動口３０１の左方に配置されて、主として左側領域ＰＡ１を流下する遊技球がいずれの入賞口にも入球しなかった場合に流入する左打ち用のアウト口として形成されている。ここで、前側通路形成部材１２０の後面側には、第１始動口２０１と第２始動口３０１との間に位置して、第１アウト口７１へ向けて左斜め下方に傾斜して延びる案内リブ１２５が突設されている。この案内リブ１２５は、第１始動口２０１に入球できずに流下してきた遊技球を左斜め下方へ方向転換して第１アウト口７１へと誘導するようになっている。案内リブ１２５の左端部には、第１アウト口７１の右縁部に沿って上下方向に延びる仕切壁部１２６が一体的に形成されており、左側領域ＰＡ１を流下して第１アウト口７１に到達した遊技球、又は、案内リブ１２５の傾斜面の作用を受けて第１アウト口７１に到達した遊技球を確実に当該アウト口７１に流入させるようになっている。
【００７０】
第２アウト口７２は、第２始動口３０１の下方（遊技領域ＰＡの最下端）に配置されて、主として右側領域ＰＡ２を流下する遊技球がいずれの入賞口にも入球しなかった場合に流入する右打ち用のアウト口として形成されている。第２アウト口７２は、基盤部材１１０の下端部に凹設されて該第２アウト口７２の上半部を形成する上側アウト口形成部１１９と、内レール２２の内周面に凹設されて該第２アウト口７２の下半部を形成する下側アウト口形成部２２ａとを上下に組み合わせてなる。第２アウト口７２は、第２始動入賞装置３００の球流出口３１１（振分部材３３０）の真下に配置されており、該第２始動入賞装置３００の振分通路３１０内に流入せずにそのまま流下した遊技球、或いは、振分通路３１０内に流入して第２始動口３０１へ至らず球排出口３１１に落下した遊技球（振分部材３００により下方の第２アウト口７２へ振り分けられた遊技球）が流入可能となっている。
【００７１】
なお、第１アウト口７１又は第２アウト口７２を通過して遊技盤２０の後面側に到達した遊技球は、遊技盤２０の下方に落下し、この遊技盤２０の下方に配置された不図示の遊技済み球通路を流下した後、機外（当該遊技機ＰＭの外部）へ排出され、最終的には遊技島（遊技ホール施設）に回収される。
【００７２】
以上、本実施形態に係る始動口ユニット２８によれば、第１始動口２０１と第２始動口３０１とを上下に並べて配設し、第１始動口２０１に入球した遊技球が第１始動入賞センサ２２０に到達するまでに流下する流下流路（流入側通路部２１１）を遊技盤２０の後面側に設ける一方、第２始動口３０１に入球した遊技球が第２始動入賞センサ３６１，３６２に到達するまでに流下する流下流路（前面側通路部３５１）を遊技盤２０の前面側に設けて、これらの始動入賞装置同士を遊技盤２０を挟んで前後に重なり合うような位置関係で配置することで、第１始動口２０１に入球した遊技球を流下させるため下流に向けて下方に傾斜させる流下流路と第２始動入賞装置３００に係る構造（例えば流下流路）との干渉を避けることができ、第１始動入賞装置２００および第２始動入賞装置３００の配設スペースを上下方向に圧縮することができるため、遊技領域ＰＡの略中央に大型のセンター役物２６を配設したとしても、第１始動入賞装置２００および第２始動入賞装置３００の配設スペースを十分に確保することができ、その結果、限られた面積の遊技領域ＰＡを有効に活用することが可能となる。
【００７３】
また、本実施形態に係る始動口ユニット２８では、第２始動口３０１の左方に第１アウト口７１を配置して、この第２始動口３０１の下方に第２アウト口７２を配置する位置関係としたうえで、左側領域ＰＡ１を流下する遊技球がいずれの入賞口にも入球しなければ第１アウト口７１に流入させ、右側領域ＰＡ２を流下する遊技球がいずれの入賞口にも入球しなければ第２アウト口７２に流入させる流下経路が形成された盤面構成とすることで、第１アウト口７１と第２アウト口７２との間のスペース（デッドスペース）に、従来は遊技盤２０の後面側にレイアウトしていた第２始動入賞装置（普通電動役物）３００の入賞排出通路や入賞センサなどを配設することができるため、各アウト口７１，７２への遊技球の流下流路を遮ることなく、大型化したセンター役物２６の下方に第１始動入賞装置２００および第２始動入賞装置３００をコンパクト且つ省スペースで配設することができ、その結果、限られた面積の遊技領域ＰＡを有効に活用することが可能となる。
【００７４】
なお、上記実施形態では、第２始動口３０１の左方に第１アウト口７１が配設され、第２始動口３０１の下方に第２アウト口７２が配設される位置関係で構成されているが、この構成に限定されるものではなく、例えば、第２始動口３０１の左方（左斜め下方）に第１アウト口７１が配設され、第２始動口３０１の右方（右斜め下方）に第２アウト口７２が配設される位置関係で構成されていてもよい。その場合には、第１アウト口７１および第２アウト口７２が、第２始動口３０１を基準として左右対称に配設されていることが好適である。このとき、上下の位置関係については、第１アウト口７１および第２アウト口７２は、第１始動口２０１よりも下方且つ第２始動口３０１よりも上方に配設されていてもよいし、両方の始動口２０１，３０１よりも下方に配設されていてもよい。但し、第１アウト口７１および第２アウト口７２は、上下の位置関係が同じである必要はなく、第１アウト口７１よりも第２アウト口７２の方が下方に配設されていても、第２アウト口７２よりも第１アウト口７１の方が下方に配設されていてもよい。さらに、左右の位置関係においては、第１アウト口７１よりも第２アウト口７２の方が第２始動口３０１に近接配置されていても、第２アウト口７２よりも第１アウト口７１の方が第２始動口３０１に近接配置されていてもよい。加えて、第２始動口３０１の近傍に、第１アウト口７１へ向けて左斜め下方に傾斜する案内リブ、或いは、第２アウト口７２へ向けて右斜め下方に傾斜する案内リブを設けて、第２始動口３０１に入球できなかった遊技球を第１アウト口７１又は第２アウト口７２に誘導するように構成してもよい。なお、上記いずれの構成を採用する場合であっても、第１アウト口７１および第２アウト口７２は、内レール２２上、又は、レール飾り２３上に設けられていることが好適である。以上のように、第２始動口３０１の左方に第１アウト口７１が配設され、第２始動口３０１の右方に第２アウト口７２が配設される位置関係で構成することで、第２始動口３０１の真下に形成される空きスペースの分だけ、第１始動口２０１および第２始動口３０１の全体を遊技領域ＰＡの下方にレイアウトすることができるため（その結果、第２始動口３０１を遊技領域ＰＡの略最下端に配設することができるため）、センター役物２６や演出表示装置２７を更に大型化することができ、限られた面積の遊技領域ＰＡをより一層有効活用することが可能となる。
【００７５】
また、上記実施形態では、第２始動入賞装置（普通電動役物）３００を前後スライド式のベロ型電チューとして構成したが、この構成に限定されるものではなく、第２始動入賞装置（普通電動役物）３００を左右揺動式の羽根型電チューとして構成してもよい。ここで、図１５は、第２始動入賞装置（普通電動役物）３００の変形例を示す斜視図である。なお、この変形例は、基本的には、上述の本実施形態と同様の構成を有しており、以下、同様の構成を有する部分には同一の符号を付して説明を省略し、主に異なる部分について説明する。変形例に係る第２始動入賞装置（羽根型電チュー）３００は、第２始動口３０１を開閉する可動部材３４０′を備えている。この可動部材３４０′は、下方から上方に向けて徐々に薄肉となる羽根形状（フラップ形状）を有しており、その下端部に形成された不図示の支軸部を中心に左右に揺動可能となっている。すなわち、可動部材３４０′は、不図示の駆動機構（ソレノイド）により、先端部を右斜め上方に指向させて第２始動口３０１を開放する開放位置と、先端部をほぼ垂直上方に指向させて第２始動口３０１を閉鎖する閉鎖位置との間で揺動可能である。第２始動口３０１に入球した遊技球は、図１０等に示す第２始動口排出通路３５０（前面側通路部３５１、後面側通路部３５２）を通って遊技盤２０の後面側に流下して、遊技盤２０の下方に配置された遊技済み球通路を流下した後、機外（当該遊技機ＰＭの外部）へ排出され、最終的には遊技島（遊技ホール施設）に回収される。かかる構成の変形例においても、上記実施形態と同様の作用効果を奏することが可能である。
【００７６】
また、上記実施形態では、第１始動口２０１の下方に配置される可変入賞口として第２始動口３０１を適用したが、この構成に限定されるものではなく、第１始動口２０１の下方に配置される可変入賞口として大入賞口（第１大入賞口、第２大入賞口）を適用してもよい。なお、第２大入賞装置６３は、特定領域（Ｖゾーン）に遊技球が入球することで小当り発展大当りが確定する小当りＶスペック用の大入賞装置（アタッカー装置）に限らず、特定領域（Ｖゾーン）に遊技球が入球することで特別遊技終了後に確変状態（特定遊技状態）に移行することが確定する玉確スペック用の大入賞装置（アタッカー装置）であってもよい。
【００７７】
また、上記実施形態では、第２始動口排出通路３５０に二つの第２始動入賞センサ３６１，３６２を設けて構成しているが、この構成に限定されるものではなく、第２始動口排出通路３５０に単一の第２始動入賞センサのみを設けて構成してもよい。
【００７８】
また、上記実施形態では、第１始動入賞装置２００、第２始動入賞装置３００、一般入賞装置４００、第１アウト口７１および第２アウト口７２を一つのユニット（始動口ユニット２８）上にまとめて配設しているが、この構成に限定されるものではなく、第１始動入賞装置２００、第２始動入賞装置３００、一般入賞装置４００、第１アウト口７１および第２アウト口７２をそれぞれ個々のユニットとして構成してもよい。さらには、第１始動入賞装置２００および第２始動入賞装置３００を一つのユニットとして構成したり、第１アウト口７１および第２アウト口７２を一つのユニットとして構成したり、種々の組合せ方を採用することができる。
【００７９】
［可動役物装置の構成］
次に、図１６〜図４０を追加参照して、可動役物装置５００について説明する。可動役物装置５００は、図３に示すように、センター役物２６の上部前側に上下方向にスライド移動可能に配設される。可動役物装置５００は、図１６及び図２０に示すように、ベース部５０１と、前側演出部６０１と、後側演出部８０１とを有して構成される。ベース部５０１は、図２１及び図２２に示すように、ベース部材５１１と、駆動モータ５２１と、駆動機構５３１とを有して構成される。
【００８０】
図２１及び図２２に示すように、ベース部材５１１は、樹脂材料を用いて左右方向に長く延びる板状に形成される。ベース部材５１１の左右端部は、センター役物２６の左右後方に設けられた上下移動機構（図示せず）に結合され、この上下移動機構にベース部材５１１（すなわち、可動役物装置５００）が上下方向にスライド移動可能に支持される。ベース部材５１１の前面左側に、左側支持部５１２が形成される。左側支持部５１２は、前側演出部６０１の左側発光演出部６１１（図１６を参照）を前方に向けて固定支持する。ベース部材５１１の右側に、右側支持部５１３が形成される。右側支持部５１３は、駆動機構５３１の駆動部材５７１およびスライドガイドピン５７６を介して、前側演出部６０１の右側発光演出部７１１（図１６を参照）を上下方向にスライド移動可能に支持する。
【００８１】
ベース部材５１１の中央部上側に、駆動モータ５２１の外周形状に合わせた開口部を有するモータ取付部５１４が形成される。モータ取付部５１４には、モータ軸５２２がベース部材５１１の後方へ延びるように駆動モータ５２１が取り付けられる。ベース部材５１１の前面中央部上側に、第１装飾部材取付部５１５が形成される。第１装飾部材取付部５１５には、所定の装飾が施された板状の第１装飾部材５２５が取り付けられる。ベース部材５１１の前面中央部下側及び右側に、第２装飾部材取付部５１６が形成される。第２装飾部材取付部５１６には、所定の装飾が施された板状の第２装飾部材５２６が取り付けられる。ベース部材５１１の中央部後面側に、駆動機構取付部５１７が形成される。駆動機構取付部５１７には、駆動機構５３１のギヤケース５４１が取り付けられる。
【００８２】
駆動モータ５２１は、駆動機構５３１を介して、後側演出部８０１の第１可動演出部材８１１及び第２可動演出部材８２１を回転駆動するとともに、前側演出部６０１の右側発光演出部７１１を上下方向に駆動する。図２１及び図２２に示すように、駆動機構５３１は、ギヤケース５４１と、第１〜第６ギヤ５５１〜５５６と、駆動部材５７１と、スライドガイドピン５７６とを有して構成される。ギヤケース５４１は、樹脂材料を用いて板状に形成される。なお、駆動モータ５２１は、ネジ等の結合部材（図示せず）により、ギヤケース５４１の上部前面側に結合された状態で、ベース部材５１１のモータ取付部５１４に取り付けられるようになっている。
【００８３】
ギヤケース５４１の上部に、前後方向に貫通したモータ軸挿通穴５４２が形成される。モータ軸挿通穴５４２には、駆動モータ５２１のモータ軸５２２が挿通され、このモータ軸５２２の先端部に第１ギヤ５５１が連結される。ギヤケース５４１の上部後面側に、後方に延びる軸部を有した第２ギヤ取付部５４３が形成される。第２ギヤ取付部５４３には、第２ギヤ５５２が回転自在に取り付けられる。ギヤケース５４１の右上部後面側に、後方に延びる軸部を有した第３ギヤ取付部５４４が形成される。第３ギヤ取付部５４４には、第３ギヤ５５３が回転自在に取り付けられる。ギヤケース５４１の中央部後面側に、後方に延びる長軸部７４５ａを有した第４ギヤ取付部５４５が形成される。第４ギヤ取付部５４５には、第４ギヤ５５４が回転自在に取り付けられる。なお、第４ギヤ取付部５４５の長軸部７４５ａは、第４ギヤ５５４よりも後方に突出して延びて、長軸部７４５ａの先端部に後側演出部８０１のストッパ部材８４１（図３９を参照）が取り付けられるようになっている。ギヤケース５４１の右部前面側に、前方に延びる軸部を有した第５ギヤ取付部５４６が形成される。第５ギヤ取付部５４６には、第５ギヤ５５５が回転自在に取り付けられる。ギヤケース５４１の右下部前面側に、前方に延びる軸部を有した第６ギヤ取付部５４７が形成される。第６ギヤ取付部５４７には、第６ギヤ５５６が回転自在に取り付けられる。
【００８４】
第１ギヤ５５１は、駆動モータ５２１のモータ軸５２２と連結され、第２ギヤ５５２と噛合する。第２ギヤ５５２は、第１ギヤ５５１と噛合するとともに、第３ギヤ５５３の前列のギヤ部と噛合する。第３ギヤ５５３は、前後２列のギヤ部を有して構成される。第３ギヤ５５３の前列のギヤ部は、第２ギヤ５５２と噛合するとともに、第４ギヤ５５４および第５ギヤ５５５と噛合する。第３ギヤ５５３の後列のギヤ部は、後側演出部８０１の第１可動演出部材８１１に形成された回転ギヤ部８１５（図３９を参照）と噛合する。
【００８５】
第４ギヤ５５４は、第３ギヤ５５３の前列のギヤ部と噛合する。第４ギヤ５５４の後側の側部中央に、後方に延びる筒状の回転支持部５６４が形成される。回転支持部５６４は、後側演出部８０１の第１可動演出部材８１１に形成された回転穴部８１４（図３９を参照）と嵌合し、第１可動演出部材８１１を回転自在に支持する。回転支持部５６４の先端部に、三又に分かれたボス状のギヤ側連結部５６５が形成される。ギヤ側連結部５６５は、後側演出部８０１の連結部材８３１（図３９を参照）を介して、後側演出部８０１の第２可動演出部材８２１に形成された部材側連結部８２４（図３９を参照）と連結される。これにより、後側演出部８０１の第１可動演出部材８１１と第２可動演出部材８２１とが、前側演出部６０１の左側発光演出部６１１及び右側発光演出部７１１の延在方向と垂直な方向（前後方向）に延びる回転軸を中心に、同軸で回転することが可能になる。
【００８６】
第５ギヤ５５５は、第３ギヤ５５３の前列のギヤ部と噛合するとともに、第６ギヤ５５６と噛合する。なお、ギヤケース５４１の第５ギヤ取付部５４６に、第５ギヤ５５５の一部をギヤケース５４１の後面側に露出させる切欠きが形成されており、ギヤケース５４１の後面側（第３ギヤ取付部５４４）に取り付けられる第３ギヤ５５３の前列のギヤ部と、ギヤケース５４１の前面側（第５ギヤ取付部５４６）に取り付けられる第５ギヤ５５５とが噛合可能に構成されている。第６ギヤ５５６は、第５ギヤ５５５と噛合する。第６ギヤ５５６の前側の側部に、前方に延びる係合ピン部５６６が形成される。係合ピン部５６６は、駆動部材５７１の係合穴部５７２と左右方向にスライド移動可能に係合する。第６ギヤ５５６は、係合ピン部５６６が最も上方に位置する初期回転位置と、係合ピン部５６６が最も下方に位置する遮蔽回転位置（図２１を参照）との間で、約１８０°だけ回転可能に設定され、第６ギヤ５５６の回転に応じて、駆動部材５７１が上下方向にスライド移動するようになっている。
【００８７】
駆動部材５７１は、樹脂材料を用いて板状に形成される。駆動部材５７１は、スライドガイドピン５７６を用いて、ベース部材５１１の右側支持部５１３の後側にスライド移動可能に取り付けられる。駆動部材５７１の左上端部に、左右方向に延びる長穴状の係合穴部５７２が形成される。係合穴部５７２には、第６ギヤ５５６の係合ピン部５６６が左右方向にスライド移動可能に係合する。
【００８８】
駆動部材５７１の右上端部に、上側連結穴部５７３が形成される。上側連結穴部５７３には、ネジ等の連結部材（図示せず）を用いて、右側発光演出部７１１の右側ランプベース部材７２１に形成された上側連結棒部７２３が連結される。駆動部材５７１の左右下端部に、下側連結穴部５７４が形成される。下側連結穴部５７４には、ネジ等の連結部材（図示せず）を用いて、右側発光演出部７１１の右側ランプベース部材７２１に形成された下側連結棒部７２４が連結される。これにより、駆動部材５７１と右側発光演出部７１１（右側ランプベース部材７２１）とが連結され、第６ギヤ５５６の回転に応じて、駆動部材５７１とともに右側発光演出部７１１が上下方向にスライド移動するようになっている。
【００８９】
駆動部材５７１の右端部に、上下方向に延びる長穴状のスライド穴部５７５が形成される。スライド穴部５７５には、ベース部材５１１の右側支持部５１３の後面に結合された上下のスライドガイドピン５７６が係合する。これにより、駆動部材５７１が上下のスライドガイドピン５７６に沿って（上下方向に）スライド移動可能になり、駆動部材５７１と連結された右側発光演出部７１１は、駆動部材５７１およびスライドガイドピン５７６を介して、上方の初期位置（図１７を参照）と、下方の遮蔽位置（図１８を参照）との間で、ベース部材５１１の右側支持部５１３に上下方向にスライド移動可能に支持される。なお、第６ギヤ５５６が初期回転位置に回転移動すると、第６ギヤ５５６と連結された駆動部材５７１とともに右側発光演出部７１１が上方の初期位置にスライド移動し、第６ギヤ５５６が遮蔽回転位置に回転すると、駆動部材５７１とともに右側発光演出部７１１が下方の遮蔽位置にスライド移動するようになっている。
【００９０】
前側演出部６０１は、図１６及び図２０に示すように、左側に位置して前方から視認可能な左側発光演出部６１１と、右側に位置して前方から視認可能な右側発光演出部７１１とを有して構成される。左側発光演出部６１１は、ベース部材５１１の左側支持部５１２に固定支持される。左側発光演出部６１１は、図２３に示すように、左側ランプ基板６３１と、左側導光部材６４１と、左側ランプカバー６６１とを有して構成される。
【００９１】
左側ランプ基板６３１は、左側ランプカバー６６１の形状に合わせた外周形状を有する板状に形成される。図２４（Ａ）に示すように、左側ランプ基板６３１の前面側には、前方に向けて光を発光可能な複数の左側発光ランプ６３２Ａ〜６３２Ｗが設けられる。各左側発光ランプ６３２Ａ〜６３２Ｗは、例えば変色発光可能な白色ＬＥＤ等を用いて構成される。複数の左側発光ランプ６３２Ａ〜６３２Ｗのうち、第１左側発光ランプ６３２Ａは、左側ランプ基板６３１の前面中央上部に配設される。第２左側発光ランプ６３２Ｂは、左側ランプ基板６３１の前面中央上部の第１左側発光ランプ６３２Ａの左下方に配設される。第３左側発光ランプ６３２Ｃは、左側ランプ基板６３１の前面中央上部の第２左側発光ランプ６３２Ｂの右下方に配設される。第４左側発光ランプ６３２Ｄは、左側ランプ基板６３１の前面中央上部の第３左側発光ランプ６３２Ｃの左下方に配設される。第５左側発光ランプ６３２Ｅは、左側ランプ基板６３１の前面中央上部の第４左側発光ランプ６３２Ｄの右下方に配設される。
【００９２】
第６左側発光ランプ６３２Ｆは、左側ランプ基板６３１の前面左上部に配設される。第７左側発光ランプ６３２Ｇは、左側ランプ基板６３１の前面左上部の第６左側発光ランプ６３２Ｆの左下方に配設される。第８左側発光ランプ６３２Ｈは、左側ランプ基板６３１の前面左上部の第７左側発光ランプ６３２Ｇの右下方に配設される。第９左側発光ランプ６３２Ｉは、左側ランプ基板６３１の前面中央部に、上下方向に３つ並んで配設される。第１０左側発光ランプ６３２Ｊは、左側ランプ基板６３１の前面左側に、第９左側発光ランプ６３２Ｉと同じ高さで上下方向に３つ並んで配設される。
【００９３】
第１１左側発光ランプ６３２Ｋは、左側ランプ基板６３１の前面左下部に配設される。第１２左側発光ランプ６３２Ｌは、左側ランプ基板６３１の前面左下部の第１１左側発光ランプ６３２Ｋの左方に配設される。第１３左側発光ランプ６３２Ｍは、左側ランプ基板６３１の前面左下部の第１１左側発光ランプ６３２Ｋの左下方に配設される。第１４左側発光ランプ６３２Ｎは、左側ランプ基板６３１の前面中央下部（第１３左側発光ランプ６３２Ｍの右下方）に配設される。第１５左側発光ランプ６３２Ｏは、左側ランプ基板６３１の前面左下部の第１３左側発光ランプ６３２Ｍの右下方に、第１４左側発光ランプ６３２Ｎと同じ高さで配設される。第１６左側発光ランプ６３２Ｐは、左側ランプ基板６３１の前面中央下部の第１４左側発光ランプ６３２Ｎの左下方に配設される。第１７左側発光ランプ６３２Ｑは、左側ランプ基板６３１の前面左下部の第１５左側発光ランプ６３２Ｏの左下方に、第１６左側発光ランプ６３２Ｐと同じ高さで配設される。
【００９４】
第１８左側発光ランプ６３２Ｒは、左側ランプ基板６３１の前面右下部に配設される。第１９左側発光ランプ６３２Ｓは、左側ランプ基板６３１の前面右下部の第１８左側発光ランプ６３２Ｒの右下方に、上下方向に２つ並んで配設される。第２０左側発光ランプ６３２Ｔは、左側ランプ基板６３１の前面右下部の第１９左側発光ランプ６３２Ｓの左下方に配設される。第２１左側発光ランプ６３２Ｕは、左側ランプ基板６３１の前面右側に配設される。第２２左側発光ランプ６３２Ｖは、左側ランプ基板６３１の前面右側の第２１左側発光ランプ６３２Ｕの右下方に配設される。第２３左側発光ランプ６３２Ｗは、左側ランプ基板６３１の前面右側の第２１左側発光ランプ６３２Ｕの右方に配設される。
【００９５】
また、左側ランプ基板６３１の前面側における左側ランプカバー６６１のリブ部６６４と対向する部分には、前方に向けて光を発光可能な複数の左側装飾ランプ６３４，６３４，…が設けられる。各左側装飾ランプ６３４，６３４，…は、例えば単色ＬＥＤ等を用いて構成される。図２４（Ｂ）に示すように、左側ランプ基板６３１の後面側には、各種コネクタ６３５が設けられる。左側ランプ基板６３１の後面側における上縁部及び下縁部には、左側ランプ基板６３１の外周側（上方及び下方）に向けて光を発光可能な複数の左側補助ランプ６３６，６３６，…が設けられる。各左側補助ランプ６３６，６３６，…は、例えばサイドビューＬＥＤ等を用いて構成される。左側ランプ基板６３１の後面側における右下部には、駆動機構５３１における第４ギヤ５５４の位置検出片５５４ａを検出可能な待機位置検出センサ６３８及び演出位置検出センサ６３９が設けられる。
【００９６】
図２５及び図２６に示すように、左側導光部材６４１は、透明もしくは半透明の樹脂材料を用いて、左側ランプカバー６６１の形状に合わせた外周形状を有する板状に形成され、左側ランプ基板６３１の前面側（第１〜第２３左側発光ランプ６３２Ａ〜６３２Ｗ）と対向して配置される。左側導光部材６４１の後面側には、第１〜第２３左側発光ランプ６３２Ａ〜６３２Ｗとそれぞれ対向して配置された第１〜第２３左側入射面部６４３Ａ〜６４３Ｗからなる光の入射面が形成される。左側導光部材６４１の前面側には、第１〜第２３左側入射面部６４３Ａ〜６４３Ｗに対応して形成された第１〜第２３左側出射面部６４６Ａ〜６４６Ｗからなる光の出斜面が形成される。
【００９７】
第１〜第２３左側発光ランプ６３２Ａ〜６３２Ｗのうち一の左側発光ランプから発光した光は、第１〜第２３左側入射面部６４３Ａ〜６４３Ｗのうち一の（対応する同じアルファベット記号の）左側入射面部に入射して、第１〜第２３左側出射面部６４６Ａ〜６４６Ｗのうち一の（対応する同じアルファベット記号の）左側出射面部を通るように構成される。このように、左側導光部材６４１は、第１〜第２３左側発光ランプ６３２Ａ〜６３２Ｗから発光した光を別個に透過させる第１〜第２３左側導光部６４２Ａ〜６４２Ｗを有して構成される。
【００９８】
図２６に示すように、第１左側入射面部６４３Ａは、左側導光部材６４１の後面中央上部に形成され、第１左側発光ランプ６３２Ａと対向するようになっている。第２左側入射面部６４３Ｂは、左側導光部材６４１の後面中央上部の第１左側入射面部６４３Ａの左下方に形成され、第２左側発光ランプ６３２Ｂと対向するようになっている。第３左側入射面部６４３Ｃは、左側導光部材６４１の後面中央上部の第２左側入射面部６４３Ｂの右下方に形成され、第３左側発光ランプ６３２Ｃと対向するようになっている。第４左側入射面部６４３Ｄは、左側導光部材６４１の後面中央上部の第３左側入射面部６４３Ｃの左下方に形成され、第４左側発光ランプ６３２Ｄと対向するようになっている。第５左側入射面部６４３Ｅは、左側導光部材６４１の後面中央上部の第４左側入射面部６４３Ｄの右下方に形成され、第５左側発光ランプ６３２Ｅと対向するようになっている。
【００９９】
第６左側入射面部６４３Ｆは、左側導光部材６４１の後面左上部に形成され、第６左側発光ランプ６３２Ｆと対向するようになっている。第７左側入射面部６４３Ｇは、左側導光部材６４１の後面左上部の第６左側入射面部６４３Ｆの左下方に形成され、第７左側発光ランプ６３２Ｇと対向するようになっている。第８左側入射面部６４３Ｈは、左側導光部材６４１の後面左上部の第７左側入射面部６４３Ｇの右下方に形成され、第８左側発光ランプ６３２Ｈと対向するようになっている。
【０１００】
第９左側入射面部６４３Ｉは、左側導光部材６４１の後面中央部に形成され、第９左側発光ランプ６３２Ｉと対向するようになっている。なお、第９左側発光ランプ６３２Ｉは、第９左側入射面部６４３Ｉと対向して上下方向に３つ並んで配設されているが、本実施形態においては、これらをまとめて１つの（１組の）第９左側発光ランプ６３２Ｉとする場合がある。第１０左側入射面部６４３Ｊは、左側導光部材６４１の後面左側に、第９左側入射面部６４３Ｉと同じ高さで形成され、第１０左側発光ランプ６３２Ｊと対向するようになっている。なお、第１０左側発光ランプ６３２Ｊは、第１０左側入射面部６４３Ｊと対向して上下方向に３つ並んで配設されているが、本実施形態においては、これらをまとめて１つの（１組の）第１０左側発光ランプ６３２Ｊとする場合がある。
【０１０１】
第１１左側入射面部６４３Ｋは、左側導光部材６４１の後面左下部に形成され、第１１左側発光ランプ６３２Ｋと対向するようになっている。第１２左側入射面部６４３Ｌは、左側導光部材６４１の後面左下部の第１１左側入射面部６４３Ｋの左方に形成され、第１２左側発光ランプ６３２Ｌと対向するようになっている。第１３左側入射面部６４３Ｍは、左側導光部材６４１の後面左下部の第１１左側入射面部６４３Ｋの左下方に形成され、第１３左側発光ランプ６３２Ｍと対向するようになっている。第１４左側入射面部６４３Ｎは、左側導光部材６４１の後面中央下部（第１３左側入射面部６４３Ｍの右下方）に形成され、第１４左側発光ランプ６３２Ｎと対向するようになっている。第１５左側入射面部６４３Ｏは、左側導光部材６４１の後面左下部の第１３左側入射面部６４３Ｍの右下方に、第１４左側入射面部６４３Ｎと同じ高さで形成され、第１５左側発光ランプ６３２Ｏと対向するようになっている。第１６左側入射面部６４３Ｐは、左側導光部材６４１の後面中央下部の第１４左側入射面部６４３Ｎの左下方に形成され、第１６左側発光ランプ６３２Ｐと対向するようになっている。第１７左側入射面部６４３Ｑは、左側導光部材６４１の後面左下部の第１５左側入射面部６４３Ｏの左下方に、第１６左側入射面部６４３Ｐと同じ高さで形成され、第１７左側発光ランプ６３２Ｑと対向するようになっている。
【０１０２】
第１８左側入射面部６４３Ｒは、左側導光部材６４１の後面右下部に形成され、第１８左側発光ランプ６３２Ｒと対向するようになっている。第１９左側入射面部６４３Ｓは、左側導光部材６４１の後面右下部の第１８左側入射面部６４３Ｒの右下方に、上下方向に２つ並んで形成され、第１９左側発光ランプ６３２Ｓと対向するようになっている。なお、第１９左側発光ランプ６３２Ｓは、第１９左側入射面部６４３Ｓと対向して上下方向に２つ並んで配設されているが、本実施形態においては、これらをまとめて１つの（１組の）第１９左側発光ランプ６３２Ｓとする場合がある。第２０左側入射面部６４３Ｔは、左側導光部材６４１の後面右下部の第１９左側入射面部６４３Ｓの左下方に形成され、第２０左側発光ランプ６３２Ｔと対向するようになっている。
【０１０３】
第２１左側入射面部６４３Ｕは、左側導光部材６４１の後面右側に形成され、第２１左側発光ランプ６３２Ｕと対向するようになっている。第２２左側入射面部６４３Ｖは、左側導光部材６４１の後面右側の第２１左側入射面部６４３Ｕの右下方に形成され、第２２左側発光ランプ６３２Ｖと対向するようになっている。第２３左側入射面部６４３Ｗは、左側導光部材６４１の後面右側の第２１左側入射面部６４３Ｕの右方に形成され、第２３左側発光ランプ６３２Ｗと対向するようになっている。
【０１０４】
図２５及び図２９に示すように、第１左側出射面部６４６Ａは、左側導光部材６４１の前面中央上部に、左右の幅方向に並ぶ前面視矩形状に区画された凹凸を有して形成される。第１左側出射面部６４６Ａは、第１左側入射面部６４３Ａの反対側に配置され、第１左側入射面部６４３Ａ及び第１左側出射面部６４６Ａにより、左右方向に延びるブロック状の第１左側導光部６４２Ａが形成される。第１左側発光ランプ６３２Ａから第１左側入射面部６４３Ａに入射した光は、第１左側導光部６４２Ａを透過して第１左側出射面部６４６Ａを通るようになっている。
【０１０５】
第２左側出射面部６４６Ｂは、左側導光部材６４１の前面中央上部の第１左側出射面部６４６Ａの下側に、左右の幅方向に並ぶ前面視矩形状に区画された凹凸を有して形成される。第２左側出射面部６４６Ｂの凹凸は、上方に隣接する第１左側出射面部６４６Ａの凹凸に対して幅方向にずれて配置される。第２左側出射面部６４６Ｂは、第２左側入射面部６４３Ｂの反対側に配置され、第２左側入射面部６４３Ｂ及び第２左側出射面部６４６Ｂにより、第１左側導光部６４２Ａの下側に繋がって左右方向に延びるブロック状の第２左側導光部６４２Ｂが形成される。第２左側発光ランプ６３２Ｂから第２左側入射面部６４３Ｂに入射した光は、第２左側導光部６４２Ｂを透過して第２左側出射面部６４６Ｂを通るようになっている。
【０１０６】
第３左側出射面部６４６Ｃは、左側導光部材６４１の前面中央上部の第２左側出射面部６４６Ｂの下側に、左右の幅方向に並ぶ前面視矩形状に区画された凹凸を有して形成される。第３左側出射面部６４６Ｃの凹凸は、上方に隣接する第２左側出射面部６４６Ｂの凹凸に対して幅方向にずれて配置される。第３左側出射面部６４６Ｃは、第３左側入射面部６４３Ｃの反対側に配置され、第３左側入射面部６４３Ｃ及び第３左側出射面部６４６Ｃにより、第２左側導光部６４２Ｂの下側に繋がって左右方向に延びるブロック状の第３左側導光部６４２Ｃが形成される。第３左側発光ランプ６３２Ｃから第３左側入射面部６４３Ｃに入射した光は、第３左側導光部６４２Ｃを透過して第３左側出射面部６４６Ｃを通るようになっている。
【０１０７】
第４左側出射面部６４６Ｄは、左側導光部材６４１の前面中央上部の第３左側出射面部６４６Ｃの下側に、左右の幅方向に並ぶ前面視矩形状に区画された凹凸を有して形成される。第４左側出射面部６４６Ｄの凹凸は、上方に隣接する第３左側出射面部６４６Ｃの凹凸に対して幅方向にずれて配置される。第４左側出射面部６４６Ｄは、第４左側入射面部６４３Ｄの反対側に配置され、第４左側入射面部６４３Ｄ及び第４左側出射面部６４６Ｄにより、第３左側導光部６４２Ｃの下側に繋がって左右方向に延びるブロック状の第４左側導光部６４２Ｄが形成される。第４左側発光ランプ６３２Ｄから第４左側入射面部６４３Ｄに入射した光は、第４左側導光部６４２Ｄを透過して第４左側出射面部６４６Ｄを通るようになっている。
【０１０８】
第５左側出射面部６４６Ｅは、左側導光部材６４１の前面中央上部の第４左側出射面部６４６Ｄの下側に、左右の幅方向に並ぶ前面視矩形状に区画された凹凸を有して形成される。第５左側出射面部６４６Ｅの凹凸は、上方に隣接する第４左側出射面部６４６Ｄの凹凸に対して幅方向にずれて配置される。第５左側出射面部６４６Ｅは、第５左側入射面部６４３Ｅの反対側に配置され、第５左側入射面部６４３Ｅ及び第５左側出射面部６４６Ｅにより、第４左側導光部６４２Ｄの下側に繋がって左右方向に延びるブロック状の第５左側導光部６４２Ｅが形成される。第５左側発光ランプ６３２Ｅから第５左側入射面部６４３Ｅに入射した光は、第５左側導光部６４２Ｅを透過して第５左側出射面部６４６Ｅを通るようになっている。
【０１０９】
第６左側出射面部６４６Ｆは、左側導光部材６４１の前面左上部に、左右の幅方向に並ぶ前面視矩形状に区画された凹凸を有して形成される。第６左側出射面部６４６Ｆは、第６左側入射面部６４３Ｆの反対側に配置され、第６左側入射面部６４３Ｆ及び第６左側出射面部６４６Ｆにより、左右方向に延びるブロック状の第６左側導光部６４２Ｆが形成される。第６左側発光ランプ６３２Ｆから第６左側入射面部６４３Ｆに入射した光は、第６左側導光部６４２Ｆを透過して第６左側出射面部６４６Ｆを通るようになっている。
【０１１０】
第７左側出射面部６４６Ｇは、左側導光部材６４１の前面左上部の第６左側出射面部６４６Ｆの下側に、左右の幅方向に並ぶ前面視矩形状に区画された凹凸を有して形成される。第７左側出射面部６４６Ｇの凹凸は、上方に隣接する第６左側出射面部６４６Ｆの凹凸に対して幅方向にずれて配置される。第７左側出射面部６４６Ｇは、第７左側入射面部６４３Ｇの反対側に配置され、第７左側入射面部６４３Ｇ及び第７左側出射面部６４６Ｇにより、第６左側導光部６４２Ｆの下側に繋がって左右方向に延びるブロック状の第７左側導光部６４２Ｇが形成される。第７左側発光ランプ６３２Ｇから第７左側入射面部６４３Ｇに入射した光は、第７左側導光部６４２Ｇを透過して第７左側出射面部６４６Ｇを通るようになっている。
【０１１１】
第８左側出射面部６４６Ｈは、左側導光部材６４１の前面左上部の第７左側出射面部６４６Ｇの下側に、左右の幅方向に並ぶ前面視矩形状に区画された凹凸を有して形成される。第８左側出射面部６４６Ｈの凹凸は、上方に隣接する第７左側出射面部６４６Ｇの凹凸に対して幅方向にずれて配置される。第８左側出射面部６４６Ｈは、第８左側入射面部６４３Ｈの反対側に配置され、第８左側入射面部６４３Ｈ及び第８左側出射面部６４６Ｈにより、第７左側導光部６４２Ｇの下側に繋がって左右方向に延びるブロック状の第８左側導光部６４２Ｈが形成される。第８左側発光ランプ６３２Ｈから第８左側入射面部６４３Ｈに入射した光は、第８左側導光部６４２Ｈを透過して第８左側出射面部６４６Ｈを通るようになっている。
【０１１２】
第９左側出射面部６４６Ｉは、左側導光部材６４１の前面中央部（第５左側出射面部６４６Ｅの下側）に、左右の幅方向に並ぶ前面視矩形状に区画された凹凸を有して形成される。第９左側出射面部６４６Ｉの凹凸は、上方に隣接する第５左側出射面部６４６Ｅの凹凸に対して幅方向にずれて配置される。第９左側出射面部６４６Ｉは、第９左側入射面部６４３Ｉの反対側に配置され、第９左側入射面部６４３Ｉ及び第９左側出射面部６４６Ｉにより、第５左側導光部６４２Ｅの下側に繋がって左右方向に延びるブロック状の第９左側導光部６４２Ｉが形成される。第９左側発光ランプ６３２Ｉから第９左側入射面部６４３Ｉに入射した光は、第９左側導光部６４２Ｉを透過して第９左側出射面部６４６Ｉを通るようになっている。
【０１１３】
第１０左側出射面部６４６Ｊは、左側導光部材６４１の前面左側（第８左側出射面部６４６Ｈの下側かつ第９左側出射面部６４６Ｉの左側）に、左右の幅方向に並ぶ前面視矩形状に区画された凹凸を有して形成される。第１０左側出射面部６４６Ｊの凹凸は、上方に隣接する第８左側出射面部６４６Ｈの凹凸に対して幅方向にずれて配置される。第１０左側出射面部６４６Ｊは、第１０左側入射面部６４３Ｊの反対側に配置され、第１０左側入射面部６４３Ｊ及び第１０左側出射面部６４６Ｊにより、第８左側導光部６４２Ｈの下側と第９左側導光部６４２Ｉの左側に繋がって左右方向に延びるブロック状の第１０左側導光部６４２Ｊが形成される。第１０左側発光ランプ６３２Ｊから第１０左側入射面部６４３Ｊに入射した光は、第１０左側導光部６４２Ｊを透過して第１０左側出射面部６４６Ｊを通るようになっている。なお、第９左側出射面部６４６Ｉの左端部と第１０左側出射面部６４６Ｊの右端部は、同一平面状に繋がって形成される。第９左側導光部６４２Ｉと第１０左側導光部６４２Ｊとが繋がる部分の後面側に大きな切欠き（前方に向かうにつれて狭くなる断面視Ｖ字状に形成された、各出斜面部の後方全域に光が届きやすくなるためのＶ字溝）が形成されており（図２６を参照）、第９左側発光ランプ６３２Ｉから第９左側導光部６４２Ｉを透過する光と、第１０左側発光ランプ６３２Ｊから第１０左側導光部６４２Ｊを透過する光とが、第９左側出射面部６４６Ｉと第１０左側出射面部６４６Ｊとが繋がる部分においてなるべく干渉しないようになっている。
【０１１４】
第１１左側出射面部６４６Ｋは、左側導光部材６４１の前面左下部（第１０左側出射面部６４６Ｊの右下側）に、左右の幅方向に並ぶ前面視矩形状に区画された凹凸を有して形成される。第１１左側出射面部６４６Ｋの凹凸は、上方に隣接する第１０左側出射面部６４６Ｊの凹凸に対して幅方向にずれて配置される。第１１左側出射面部６４６Ｋは、第１１左側入射面部６４３Ｋの反対側に配置され、第１１左側入射面部６４３Ｋ及び第１１左側出射面部６４６Ｋにより、第１０左側導光部６４２Ｊの右下側に繋がって左右方向に延びるブロック状の第１１左側導光部６４２Ｋが形成される。第１１左側発光ランプ６３２Ｋから第１１左側入射面部６４３Ｋに入射した光は、第１１左側導光部６４２Ｋを透過して第１１左側出射面部６４６Ｋを通るようになっている。
【０１１５】
第１２左側出射面部６４６Ｌは、左側導光部材６４１の前面左下部の第１１左側出射面部６４６Ｋの左側（第１０左側出射面部６４６Ｊの左下側）に、左右の幅方向に並ぶ前面視矩形状に区画された凹凸を有して形成される。第１２左側出射面部６４６Ｌの凹凸は、上方に隣接する第１０左側出射面部６４６Ｊの凹凸に対して幅方向にずれて配置される。第１２左側出射面部６４６Ｌは、第１２左側入射面部６４３Ｌの反対側に配置され、第１２左側入射面部６４３Ｌ及び第１２左側出射面部６４６Ｌにより、第１０左側導光部６４２Ｊの左下側に繋がって左右方向に延びるブロック状の第１２左側導光部６４２Ｌが形成される。第１２左側発光ランプ６３２Ｌから第１２左側入射面部６４３Ｌに入射した光は、第１２左側導光部６４２Ｌを透過して第１２左側出射面部６４６Ｌを通るようになっている。なお、第１１左側出射面部６４６Ｋの左端部と第１２左側出射面部６４６Ｌの右端部は、同一平面状に繋がって形成される。第１１左側導光部６４２Ｋと第１２左側導光部６４２Ｌとが繋がる部分の後面側に大きな切欠き（前述と同様のＶ字溝）が形成されており（図２６を参照）、第１１左側発光ランプ６３２Ｋから第１１左側導光部６４２Ｋを透過する光と、第１２左側発光ランプ６３２Ｌから第１２左側導光部６４２Ｌを透過する光とが、第１１左側出射面部６４６Ｋと第１２左側出射面部６４６Ｌとが繋がる部分においてなるべく干渉しないようになっている。
【０１１６】
第１３左側出射面部６４６Ｍは、左側導光部材６４１の前面左下部の第１１左側出射面部６４６Ｋの下側に、左右の幅方向に並ぶ前面視矩形状に区画された凹凸を有して形成される。第１３左側出射面部６４６Ｍの凹凸は、上方に隣接する第１１左側出射面部６４６Ｋの凹凸に対して幅方向にずれて配置される。第１３左側出射面部６４６Ｍは、第１３左側入射面部６４３Ｍの反対側に配置され、第１３左側入射面部６４３Ｍ及び第１３左側出射面部６４６Ｍにより、第１１左側導光部６４２Ｋの下側に繋がって左右方向に延びるブロック状の第１３左側導光部６４２Ｍが形成される。第１３左側発光ランプ６３２Ｍから第１３左側入射面部６４３Ｍに入射した光は、第１３左側導光部６４２Ｍを透過して第１３左側出射面部６４６Ｍを通るようになっている。
【０１１７】
第１４左側出射面部６４６Ｎは、左側導光部材６４１の前面中央下部（第１３左側出射面部６４６Ｍの右下側）に、左右の幅方向に並ぶ前面視矩形状に区画された凹凸を有して形成される。第１４左側出射面部６４６Ｎは、第１４左側入射面部６４３Ｎの反対側に配置され、第１４左側入射面部６４３Ｎ及び第１４左側出射面部６４６Ｎにより、第１３左側導光部６４２Ｍの右下側に繋がって左右方向に延びるブロック状の第１４左側導光部６４２Ｎが形成される。第１４左側発光ランプ６３２Ｎから第１４左側入射面部６４３Ｎに入射した光は、第１４左側導光部６４２Ｎを透過して第１４左側出射面部６４６Ｎを通るようになっている。
【０１１８】
第１５左側出射面部６４６Ｏは、左側導光部材６４１の前面左下部の第１３左側出射面部６４６Ｍの下側（第１４左側出射面部６４６Ｎの左側）に、左右の幅方向に並ぶ前面視矩形状に区画された凹凸を有して形成される。第１５左側出射面部６４６Ｏの凹凸は、上方に隣接する第１３左側出射面部６４６Ｍの凹凸に対して幅方向にずれて配置される。第１５左側出射面部６４６Ｏは、第１５左側入射面部６４３Ｏの反対側に配置され、第１５左側入射面部６４３Ｏ及び第１５左側出射面部６４６Ｏにより、第１３左側導光部６４２Ｍの下側に繋がって左右方向に延びるブロック状の第１５左側導光部６４２Ｏが形成される。第１５左側発光ランプ６３２Ｏから第１５左側入射面部６４３Ｏに入射した光は、第１５左側導光部６４２Ｏを透過して第１５左側出射面部６４６Ｏを通るようになっている。なお、第１４左側出射面部６４６Ｎの左端部と第１５左側出射面部６４６Ｏの右端部は、同一平面状に繋がって形成される。第１４左側導光部６４２Ｎと第１５左側導光部６４２Ｏとが繋がる部分の後面側に大きな切欠き（前述と同様のＶ字溝）が形成されており（図２６を参照）、第１４左側発光ランプ６３２Ｎから第１４左側導光部６４２Ｎを透過する光と、第１５左側発光ランプ６３２Ｏから第１５左側導光部６４２Ｏを透過する光とが、第１４左側出射面部６４６Ｎと第１５左側出射面部６４６Ｏとが繋がる部分においてなるべく干渉しないようになっている。
【０１１９】
第１６左側出射面部６４６Ｐは、左側導光部材６４１の前面中央下部の第１４左側出射面部６４６Ｎの下側に、左右の幅方向に並ぶ前面視矩形状に区画された凹凸を有して形成される。第１６左側出射面部６４６Ｐの凹凸は、上方に隣接する第１４左側出射面部６４６Ｎの凹凸に対して幅方向にずれて配置される。第１６左側出射面部６４６Ｐは、第１６左側入射面部６４３Ｐの反対側に配置され、第１６左側入射面部６４３Ｐ及び第１６左側出射面部６４６Ｐにより、第１４左側導光部６４２Ｎの下側に繋がって左右方向に延びるブロック状の第１６左側導光部６４２Ｐが形成される。第１６左側発光ランプ６３２Ｐから第１６左側入射面部６４３Ｐに入射した光は、第１６左側導光部６４２Ｐを透過して第１６左側出射面部６４６Ｐを通るようになっている。
【０１２０】
第１７左側出射面部６４６Ｑは、左側導光部材６４１の前面左下部の第１５左側出射面部６４６Ｏの下側（第１６左側出射面部６４６Ｐの左側）に、左右の幅方向に並ぶ前面視矩形状に区画された凹凸を有して形成される。第１７左側出射面部６４６Ｑの凹凸は、上方に隣接する第１５左側出射面部６４６Ｏの凹凸に対して幅方向にずれて配置される。第１７左側出射面部６４６Ｑは、第１７左側入射面部６４３Ｑの反対側に配置され、第１７左側入射面部６４３Ｑ及び第１７左側出射面部６４６Ｑにより、第１５左側導光部６４２Ｏの下側に繋がって左右方向に延びるブロック状の第１７左側導光部６４２Ｑが形成される。第１７左側発光ランプ６３２Ｑから第１７左側入射面部６４３Ｑに入射した光は、第１７左側導光部６４２Ｑを透過して第１７左側出射面部６４６Ｑを通るようになっている。なお、第１６左側出射面部６４６Ｐの左端部と第１７左側出射面部６４６Ｑの右端部は、同一平面状に繋がって形成される。第１６左側導光部６４２Ｐと第１７左側導光部６４２Ｑとが繋がる部分の後面側に大きな切欠き（前述と同様のＶ字溝）が形成されており（図２６を参照）、第１６左側発光ランプ６３２Ｐから第１６左側導光部６４２Ｐを透過する光と、第１７左側発光ランプ６３２Ｑから第１７左側導光部６４２Ｑを透過する光とが、第１６左側出射面部６４６Ｐと第１７左側出射面部６４６Ｑとが繋がる部分においてなるべく干渉しないようになっている。
【０１２１】
第１８左側出射面部６４６Ｒは、左側導光部材６４１の前面右下部に、左右の幅方向に並ぶ前面視矩形状に区画された凹凸を有して形成される。第１８左側出射面部６４６Ｒは、第１８左側入射面部６４３Ｒの反対側に配置され、第１８左側入射面部６４３Ｒ及び第１８左側出射面部６４６Ｒにより、左右方向に延びるブロック状の第１８左側導光部６４２Ｒが形成される。第１８左側発光ランプ６３２Ｒから第１８左側入射面部６４３Ｒに入射した光は、第１８左側導光部６４２Ｒを透過して第１８左側出射面部６４６Ｒを通るようになっている。
【０１２２】
第１９左側出射面部６４６Ｓは、左側導光部材６４１の前面右下部の第１８左側出射面部６４６Ｒの下側に、左右の幅方向に並ぶ前面視矩形状に区画された凹凸を有して形成される。第１９左側出射面部６４６Ｓの凹凸は、上方に隣接する第１８左側出射面部６４６Ｒの凹凸に対して幅方向にずれて配置される。第１９左側出射面部６４６Ｓは、第１９左側入射面部６４３Ｓの反対側に配置され、第１９左側入射面部６４３Ｓ及び第１９左側出射面部６４６Ｓにより、第１８左側導光部６４２Ｒの下側に繋がって左右方向に延びるブロック状の第１９左側導光部６４２Ｓが形成される。第１９左側発光ランプ６３２Ｓから第１９左側入射面部６４３Ｓに入射した光は、第１９左側導光部６４２Ｓを透過して第１９左側出射面部６４６Ｓを通るようになっている。
【０１２３】
第２０左側出射面部６４６Ｔは、左側導光部材６４１の前面右下部の第１９左側出射面部６４６Ｓの下側に、左右の幅方向に並ぶ前面視矩形状に区画された凹凸を有して形成される。第２０左側出射面部６４６Ｔの凹凸は、上方に隣接する第１９左側出射面部６４６Ｓの凹凸に対して幅方向にずれて配置される。第２０左側出射面部６４６Ｔは、第２０左側入射面部６４３Ｔの反対側に配置され、第２０左側入射面部６４３Ｔ及び第２０左側出射面部６４６Ｔにより、第１８左側導光部６４２Ｒの下側に繋がって左右方向に延びるブロック状の第２０左側導光部６４２Ｔが形成される。第２０左側発光ランプ６３２Ｔから第２０左側入射面部６４３Ｔに入射した光は、第２０左側導光部６４２Ｔを透過して第２０左側出射面部６４６Ｔを通るようになっている。
【０１２４】
第２１左側出射面部６４６Ｕは、左側導光部材６４１の前面右側に、左右に傾斜した幅方向に並ぶ前面視矩形状に区画された凹凸を有して形成される。第２１左側出射面部６４６Ｕは、第２１左側入射面部６４３Ｕの反対側に配置され、第２１左側入射面部６４３Ｕ及び第２１左側出射面部６４６Ｕにより、左右に傾斜した方向に延びるブロック状の第２１左側導光部６４２Ｕが形成される。第２１左側発光ランプ６３２Ｕから第２１左側入射面部６４３Ｕに入射した光は、第２１左側導光部６４２Ｕを透過して第２１左側出射面部６４６Ｕを通るようになっている。
【０１２５】
第２２左側出射面部６４６Ｖは、左側導光部材６４１の前面右側の第２１左側出射面部６４６Ｕの右下側に、左右に傾斜した幅方向に並ぶ前面視矩形状に区画された凹凸を有して形成される。第２２左側出射面部６４６Ｖの凹凸は、左上方に隣接する第２１左側出射面部６４６Ｕの凹凸に対して幅方向にずれて配置される。第２２左側出射面部６４６Ｖは、第２２左側入射面部６４３Ｖの反対側に配置され、第２２左側入射面部６４３Ｖ及び第２２左側出射面部６４６Ｖにより、第２１左側導光部６４２Ｕの下側に繋がって左右に傾斜した方向に延びるブロック状の第２２左側導光部６４２Ｖが形成される。第２２左側発光ランプ６３２Ｖから第２２左側入射面部６４３Ｖに入射した光は、第２２左側導光部６４２Ｖを透過して第２２左側出射面部６４６Ｖを通るようになっている。
【０１２６】
第２３左側出射面部６４６Ｗは、左側導光部材６４１の前面右側の第２１左側出射面部６４６Ｕ及び第２２左側出射面部６４６Ｖの右側に、上下の幅方向に並ぶ前面視矩形状に区画された凹凸を有して形成される。第２３左側出射面部６４６Ｗは、第２３左側入射面部６４３Ｗの反対側に配置され、第２３左側入射面部６４３Ｗ及び第２３左側出射面部６４６Ｗにより、第２１左側導光部６４２Ｕ及び第２２左側導光部６４２Ｖの右側に繋がって上下方向に延びるブロック状の第２３左側導光部６４２Ｗが形成される。第２３左側発光ランプ６３２Ｗから第２３左側入射面部６４３Ｗに入射した光は、第２３左側導光部６４２Ｗを透過して第２３左側出射面部６４６Ｗを通るようになっている。
【０１２７】
第１〜第２３左側導光部６４２Ａ〜６４２Ｗは、同様の断面形状を有している。例えば、図３０（Ａ）に示すように、第３左側出射面部６４６Ｃにおける第３左側入射面部６４３Ｃと対向する部分に、第３左側発光ランプ６３２Ｃから第３左側入射面部６４３Ｃに入射した光の一部を左右後方に向けて反射させる第３左側溝状面部６４４Ｃが形成される。第３左側導光部６４２Ｃの後面側における第３左側入射面部６４３Ｃの左右の幅方向に沿った側方に、第３左側溝状面部６４４Ｃで反射した光を前方に拡散反射させて第３左側出射面部６４６Ｃの全体に行きわたらせる第３左側ローレット面部６４５Ｃが形成される。第６左側出射面部６４６Ｆにおける第６左側入射面部６４３Ｆと対向する部分に、第６左側発光ランプ６３２Ｆから第６左側入射面部６４３Ｆに入射した光の一部を左右後方に向けて反射させる第６左側溝状面部６４４Ｆが形成される。第６左側導光部６４２Ｆの後面側における第６左側入射面部６４３Ｆの左右の幅方向に沿った側方に、第６左側溝状面部６４４Ｆで反射した光を前方に拡散反射させて第６左側出射面部６４６Ｆの全体に行きわたらせる第６左側ローレット面部６４５Ｆが形成される。
【０１２８】
また例えば、図３０（Ｂ）に示すように、第４左側出射面部６４６Ｄにおける第４左側入射面部６４３Ｄと対向する部分に、第４左側発光ランプ６３２Ｄから第４左側入射面部６４３Ｄに入射した光の一部を左右後方に向けて反射させる第４左側溝状面部６４４Ｄが形成される。第４左側導光部６４２Ｄの後面側における第４左側入射面部６４３Ｄの左右の幅方向に沿った側方に、第４左側溝状面部６４４Ｄで反射した光を前方に拡散反射させて第４左側出射面部６４６Ｄの全体に行きわたらせる第４左側ローレット面部６４５Ｄが形成される。第７左側出射面部６４６Ｇにおける第７左側入射面部６４３Ｇと対向する部分に、第７左側発光ランプ６３２Ｇから第７左側入射面部６４３Ｇに入射した光の一部を左右後方に向けて反射させる第７左側溝状面部６４４Ｇが形成される。第７左側導光部６４２Ｇの後面側における第７左側入射面部６４３Ｇの左右の幅方向に沿った側方に、第７左側溝状面部６４４Ｇで反射した光を前方に拡散反射させて第７左側出射面部６４６Ｇの全体に行きわたらせる第７左側ローレット面部６４５Ｇが形成される。
【０１２９】
また例えば、図３０（Ｃ）に示すように、第５左側出射面部６４６Ｅにおける第５左側入射面部６４３Ｅと対向する部分に、第５左側発光ランプ６３２Ｅから第５左側入射面部６４３Ｅに入射した光の一部を左右後方に向けて反射させる第５左側溝状面部６４４Ｅが形成される。第５左側導光部６４２Ｅの後面側における第５左側入射面部６４３Ｅの左右の幅方向に沿った側方に、第５左側溝状面部６４４Ｅで反射した光を前方に拡散反射させて第５左側出射面部６４６Ｅの全体に行きわたらせる第５左側ローレット面部６４５Ｅが形成される。第８左側出射面部６４６Ｈにおける第８左側入射面部６４３Ｈと対向する部分に、第８左側発光ランプ６３２Ｈから第８左側入射面部６４３Ｈに入射した光の一部を左右後方に向けて反射させる第８左側溝状面部６４４Ｈが形成される。第８左側導光部６４２Ｈの後面側における第８左側入射面部６４３Ｈの左右の幅方向に沿った側方（左側方）に、第８左側溝状面部６４４Ｈで反射した光を前方に拡散反射させて第８左側出射面部６４６Ｈの全体に行きわたらせる第８左側ローレット面部６４５Ｈが形成される。このように、第１〜第２３左側導光部６４２Ａ〜６４２Ｗは、左側溝状面部及び左側ローレット面部を有するブロック状に形成される。
【０１３０】
図２７及び図２８に示すように、左側ランプカバー６６１は、透光性を有する樹脂材料を用いて蓋状に形成される。左側ランプカバー６６１は、前面に所定の装飾が施されて左側ランプ基板６３１及び左側導光部材６４１の前方を覆う天井部６６２と、左側ランプ基板６３１及び左側導光部材６４１の側方を覆う側壁部６６３とを有している。左側ランプ基板６３１及び左側導光部材６４１は、ネジ等の結合部材（図示せず）を用いて、左側ランプカバー６６１の内側（後面側）に結合される。左側ランプカバー６６１は、左側ランプ基板６３１及び左側導光部材６４１とともに、ネジ等の固定部材（図示せず）を用いて、ベース部材５１１の左側支持部５１２に取り付け固定される。
【０１３１】
左側ランプ基板６３１の第１〜第２３左側発光ランプ６３２Ａ〜６３２Ｗから発光して左側導光部材６４１の出斜面（第１〜第２３左側出射面部６４６Ａ〜６４６Ｗ）を通った光が、左側ランプカバー６６１の天井部６６２を透過することで、所定の装飾が施された天井部６６２の前面が発光するように構成される。第１右側ランプカバー７６１の第１天井部７６２の前面にも同様に（図３８を参照）形成されており、詳細な図示を省略するが、天井部６６２の前面には、装飾の形状（例えば、文字の形状）に沿って延びる断面視円弧状に（凸レンズ状に）前方に湾曲した曲面部（図示せず）が形成されている。これにより、天井部６６２の前面の一部（曲面部が形成された部分）を強調して発光させることが可能になる。天井部６６２の後面には、左側導光部材６４１の出斜面（第１〜第２３左側出射面部６４６Ａ〜６４６Ｗ）を通った光を拡散させるための微細な凹凸が形成されている。
【０１３２】
図２８に示すように、左側ランプカバー６６１の後面側における側壁部６６３よりも内側の部分に、天井部６６２の後面側から後方に延びるリブ部６６４が形成される。このリブ部６６４は、左側導光部材６４１の外周部を通って左側ランプ基板６３１の前面側と対向するようになっている。リブ部６６４の後縁部に、左側ランプ基板６３１の複数の左側装飾ランプ６３４，６３４，…と対向して複数のリブ側入射面６６５，６６５…が形成される。各リブ側入射面６６５，６６５…は、各左側装飾ランプ６３４，６３４，…に向けて山型に尖るテーパ状に形成される。左側装飾ランプ６３４から発光した光は、リブ側入射面６６５に対し屈折入射してリブ部６６４を透過し、天井部６６２の前面外周側を通るようになっている。これにより、天井部６６２の前面外周側の一部を、リブ側入射面６６５での光の屈折等によりボケた点状に発光させることができるため、左側発光演出部６１１による発光演出効果を高めることが可能になる。
【０１３３】
右側発光演出部７１１は、ベース部材５１１の右側支持部５１３に上下方向にスライド移動可能に支持される。右側発光演出部７１１は、図３１に示すように、右側ランプベース部材７２１と、右側ランプ基板７３１と、右側導光部材７４１と、第１右側ランプカバー７６１と、第２右側ランプカバー７７１とを有して構成される。
【０１３４】
右側ランプベース部材７２１は、樹脂材料を用いて、第１及び第２右側ランプカバー７６１，７７１の形状に合わせた外周形状を有する板状に形成され、ベース部材５１１の右側支持部５１３の前方に配置される。図３２（Ａ）に示すように、右側ランプベース部材７２１の前面側には、右側ランプ基板７３１を受容する基板受容部７２２が形成される。図３２（Ｂ）に示すように、右側ランプベース部材７２１の右上端部後面側には、後方に突出する棒状の上側連結棒部７２３が形成される。上側連結棒部７２３は、右側支持部５１３の前方から（上方を通って）右側支持部５１３の後方まで延びて、右側支持部５１３の後方に配置された駆動部材５７１の上側連結穴部５７３に連結される。右側ランプベース部材７２１の下端部後面側の左右２箇所には、後方に突出する棒状の下側連結棒部７２４が形成される。下側連結棒部７２４は、右側支持部５１３の前方から（下方を通って）右側支持部５１３の後方まで延びて、駆動部材５７１の下側連結穴部５７４に連結される。
【０１３５】
右側ランプ基板７３１は、第１及び第２右側ランプカバー７６１，７７１の形状に合わせた外周形状を有する板状に形成される。図３３（Ａ）に示すように、右側ランプ基板７３１の前面側の中間部及び上部には、前方に向けて光を発光可能な複数の右上側発光ランプ７３２Ａ〜７３２Ｎが設けられる。各右上側発光ランプ７３２Ａ〜７３２Ｎは、例えば変色発光可能な白色ＬＥＤ等を用いて構成される。複数の右上側発光ランプ７３２Ａ〜７３２Ｎのうち、第１右上側発光ランプ７３２Ａは、右側ランプ基板７３１の前面右上部に、上下方向に３つ並んで配設される。第２右上側発光ランプ７３２Ｂは、右側ランプ基板７３１の前面右側（第１右上側発光ランプ７３２Ａの右下方）に配設される。第３右上側発光ランプ７３２Ｃは、右側ランプ基板７３１の前面右側の第２右上側発光ランプ７３２Ｂの下方に配設される。第４右上側発光ランプ７３２Ｄは、右側ランプ基板７３１の前面右側の第３右上側発光ランプ７３２Ｃの下方に配設される。
【０１３６】
第５右上側発光ランプ７３２Ｅは、右側ランプ基板７３１の前面中央部（第１右上側発光ランプ７３２Ａの左下方）に、第２右上側発光ランプ７３２Ｂと同じ高さで配設される。第６右上側発光ランプ７３２Ｆは、右側ランプ基板７３１の前面中央部の第５右上側発光ランプ７３２Ｅの下方に、第３右上側発光ランプ７３２Ｃと同じ高さで配設される。第７右上側発光ランプ７３２Ｇは、右側ランプ基板７３１の前面中央部の第６右上側発光ランプ７３２Ｆの右下方に配設される。第８右上側発光ランプ７３２Ｈは、右側ランプ基板７３１の前面右下部（第４右上側発光ランプ７３２Ｄの左下方）に配設される。
【０１３７】
第９右上側発光ランプ７３２Ｉは、右側ランプ基板７３１の前面左上部に、上下方向に２つ並んで配設される。第１０右上側発光ランプ７３２Ｊは、右側ランプ基板７３１の前面左側（第９右上側発光ランプ７３２Ｉの下方）に配設される。第１１右上側発光ランプ７３２Ｋは、右側ランプ基板７３１の前面左側の第１０右上側発光ランプ７３２Ｊの右下方に配設される。第１２右上側発光ランプ７３２Ｌは、右側ランプ基板７３１の前面左側の第１１右上側発光ランプ７３２Ｋの右下方に配設される。第１３右上側発光ランプ７３２Ｍは、右側ランプ基板７３１の前面左側の第１１右上側発光ランプ７３２Ｋの左下方に配設される。第１４右上側発光ランプ７３２Ｎは、右側ランプ基板７３１の前面左側の第１３右上側発光ランプ７３２Ｍの左下方に配設される。
【０１３８】
右側ランプ基板７３１の前面側の下縁部近傍には、前方に向けて光を発光可能な第１〜第１０右下側発光ランプ７３３Ａ〜７３３Ｊが設けられる。第１〜第１０右下側発光ランプ７３３Ａ〜７３３Ｊは、例えば単色ＬＥＤ等を用いて構成される。第１〜第１０右下側発光ランプ７３３Ａ〜７３３Ｊは、右側ランプ基板７３１の下縁部に沿って右側から順に並んで配置される。なお、（後述の右側導光部材７４１において上下方向に延びるブロック状に形成された第２右下側導光部７５２Ｂ、第５右下側導光部７５２Ｅ、第８右下側導光部７５２Ｈ、及び第１０右下側導光部７５２Ｊに対応する）第２右下側発光ランプ７３３Ｂ、第５右下側発光ランプ７３３Ｅ、第８右下側発光ランプ７３３Ｈ、及び第１０右下側発光ランプ７３３Ｊは、他の右下側発光ランプに対して少し上方にオフセットして配置される。
【０１３９】
また、右側ランプ基板７３１の前面側における第１右側ランプカバー７６１のリブ部７６４と対向する部分には、前方に向けて光を発光可能な複数の右側装飾ランプ７３４，７３４，…が設けられる。各右側装飾ランプ７３４，７３４，…は、例えば単色ＬＥＤ等を用いて構成される。図３３（Ｂ）に示すように、右側ランプ基板７３１の後面側には、各種コネクタ７３５が設けられる。右側ランプ基板７３１の後面側の下縁部には、右側ランプ基板７３１の外周側（下方）に向けて光を発光可能な複数の右側補助ランプ７３６，７３６，…が設けられる。各右側補助ランプ７３６，７３６，…は、例えばサイドビューＬＥＤ等を用いて構成される。
【０１４０】
図３４及び図３５に示すように、右側導光部材７４１は、透明もしくは半透明の樹脂材料を用いて、第１及び第２右側ランプカバー７６１，７７１の形状に合わせた外周形状を有する板状に形成され、右側ランプ基板７３１の前面側（第１〜第１４右上側発光ランプ７３２Ａ〜７３２Ｎ及び第１〜第１０右下側発光ランプ７３３Ａ〜７３３Ｊ）と対向して配置される。右側導光部材７４１の後面側には、第１〜第１４右上側発光ランプ７３２Ａ〜７３２Ｎ及び第１〜第１０右下側発光ランプ７３３Ａ〜７３３Ｊとそれぞれ対向して配置された第１〜第１４右上側入射面部７４３Ａ〜７４３Ｎ及び第１〜第１０右下側入射面部７５３Ａ〜７５３Ｊからなる光の入射面が形成される。右側導光部材７４１の前面側には、第１〜第１４右上側入射面部７４３Ａ〜７４３Ｎ及び第１〜第１０右下側入射面部７５３Ａ〜７５３Ｊに対応して形成された第１〜第１４右上側出射面部７４６Ａ〜７４６Ｎ及び第１〜第１０右下側出射面部７５６Ａ〜７５６Ｊからなる光の出斜面が形成される。
【０１４１】
第１〜第１４右上側発光ランプ７３２Ａ〜７３２Ｎのうち一の右上側発光ランプから発光した光は、第１〜第１４右上側入射面部７４３Ａ〜７４３Ｎのうち一の（対応する同じアルファベット記号の）右上側入射面部に入射して、第１〜第１４右上側出射面部７４６Ａ〜７４６Ｎのうち一の（対応する同じアルファベット記号の）右上側出射面部を通るように構成される。また、第１〜第１０右下側発光ランプ７３３Ａ〜７３３Ｊのうち一の右下側発光ランプから発光した光は、第１〜第１０右下側入射面部７５３Ａ〜７５３Ｊのうち一の（対応する同じアルファベット記号の）右下側入射面部に入射して、第１〜第１０右下側出射面部７５６Ａ〜７５６Ｊのうち一の（対応する同じアルファベット記号の）右下側出射面部を通るように構成される。このように、右側導光部材７４１は、第１〜第１４右上側発光ランプ７３２Ａ〜７３２Ｎから発光した光を別個に透過させる第１〜第１４右上側導光部７４２Ａ〜７４２Ｎと、第１〜第１０右下側発光ランプ７３３Ａ〜７３３Ｊから発光した光を別個に透過させる第１〜第１０右下側導光部７５２Ａ〜７５２Ｊとを有して構成される。
【０１４２】
図３５に示すように、第１右上側入射面部７４３Ａは、右側導光部材７４１の後面右上部に形成され、第１右上側発光ランプ７３２Ａと対向するようになっている。なお、第１右上側発光ランプ７３２Ａは、第１右上側入射面部７４３Ａと対向して上下方向に３つ並んで配設されているが、本実施形態においては、これらをまとめて１つの（１組の）第１右上側発光ランプ７３２Ａとする場合がある。第２右上側入射面部７４３Ｂは、右側導光部材７４１の後面右側（第１右上側入射面部７４３Ａの右下方）に形成され、第２右上側発光ランプ７３２Ｂと対向するようになっている。第３右上側入射面部７４３Ｃは、右側導光部材７４１の後面右側の第２右上側入射面部７４３Ｂの下方に形成され、第３右上側発光ランプ７３２Ｃと対向するようになっている。第４右上側入射面部７４３Ｄは、右側導光部材７４１の後面右側の第３右上側入射面部７４３Ｃの下方に形成され、第４右上側発光ランプ７３２Ｄと対向するようになっている。
【０１４３】
第５右上側入射面部７４３Ｅは、右側導光部材７４１の後面中央部（第１右上側入射面部７４３Ａの左下方）に、第２右上側入射面部７４３Ｂと同じ高さで形成され、第５右上側発光ランプ７３２Ｅと対向するようになっている。第６右上側入射面部７４３Ｆは、右側導光部材７４１の後面中央部の第５右上側入射面部７４３Ｅの下方に、第３右上側入射面部７４３Ｃと同じ高さで形成され、第６右上側発光ランプ７３２Ｆと対向するようになっている。第７右上側入射面部７４３Ｇは、右側導光部材７４１の後面中央部の第６右上側入射面部７４３Ｆの右下方に形成され、第７右上側発光ランプ７３２Ｇと対向するようになっている。第８右上側入射面部７４３Ｈは、右側導光部材７４１の後面右下部（第４右上側入射面部７４３Ｄの左下方）に形成され、第８右上側発光ランプ７３２Ｈと対向するようになっている。
【０１４４】
第９右上側入射面部７４３Ｉは、右側導光部材７４１の後面左上部に形成され、第９右上側発光ランプ７３２Ｉと対向するようになっている。なお、第９右上側発光ランプ７３２Ｉは、第９右上側入射面部７４３Ｉと対向して上下方向に２つ並んで配設されているが、本実施形態においては、これらをまとめて１つの（１組の）第９右上側発光ランプ７３２Ｉとする場合がある。
【０１４５】
第１０右上側入射面部７４３Ｊは、右側導光部材７４１の後面左側（第９右上側入射面部７４３Ｉの下方）に形成され、第１０右上側発光ランプ７３２Ｊと対向するようになっている。第１１右上側入射面部７４３Ｋは、右側導光部材７４１の後面左側の第１０右上側入射面部７４３Ｊの右下方に形成され、第１１右上側発光ランプ７３２Ｋと対向するようになっている。第１２右上側入射面部７４３Ｌは、右側導光部材７４１の後面左側の第１１右上側入射面部７４３Ｋの右下方に形成され、第１２右上側発光ランプ７３２Ｌと対向するようになっている。第１３右上側入射面部７４３Ｍは、右側導光部材７４１の後面左側の第１１右上側入射面部７４３Ｋの左下方に形成され、第１３右上側発光ランプ７３２Ｍと対向するようになっている。第１４右上側入射面部７４３Ｎは、右側導光部材７４１の後面左側の第１３右上側入射面部７４３Ｍの左下方に形成され、第１４右上側発光ランプ７３２Ｎと対向するようになっている。
【０１４６】
第１〜第１０右下側入射面部７５３Ａ〜７５３Ｊは、右側導光部材７４１の後面側の下縁部近傍に、右側導光部材７４１の下縁部に沿って右側から順に並んで形成される。第１〜第１０右下側入射面部７５３Ａ〜７５３Ｊは、第１〜第１０右下側発光ランプ７３３Ａ〜７３３Ｊと対向するようになっている。
【０１４７】
図３４に示すように、第１右上側出射面部７４６Ａは、右側導光部材７４１の前面右上部に、左右の幅方向に並ぶ前面視矩形状に区画された凹凸を有して形成される。第１右上側出射面部７４６Ａは、第１右上側入射面部７４３Ａの反対側に配置され、第１右上側入射面部７４３Ａ及び第１右上側出射面部７４６Ａにより、左右方向に延びるブロック状の第１右上側導光部７４２Ａが形成される。第１右上側発光ランプ７３２Ａから第１右上側入射面部７４３Ａに入射した光は、第１右上側導光部７４２Ａを透過して第１右上側出射面部７４６Ａを通るようになっている。
【０１４８】
第２右上側出射面部７４６Ｂは、右側導光部材７４１の前面右側（第１右上側出射面部７４６Ａの右下側）に、左右の幅方向に並ぶ前面視矩形状に区画された凹凸を有して形成される。第２右上側出射面部７４６Ｂの凹凸は、上方に隣接する第１右上側出射面部７４６Ａの凹凸に対して幅方向にずれて配置される。第２右上側出射面部７４６Ｂは、第２右上側入射面部７４３Ｂの反対側に配置され、第２右上側入射面部７４３Ｂ及び第２右上側出射面部７４６Ｂにより、左右方向に延びるブロック状の第２右上側導光部７４２Ｂが形成される。第２右上側発光ランプ７３２Ｂから第２右上側入射面部７４３Ｂに入射した光は、第２右上側導光部７４２Ｂを透過して第２右上側出射面部７４６Ｂを通るようになっている。
【０１４９】
第３右上側出射面部７４６Ｃは、右側導光部材７４１の前面右側の第２右上側出射面部７４６Ｂの右下側に、左右の幅方向に並ぶ前面視矩形状に区画された凹凸を有して形成される。第３右上側出射面部７４６Ｃは、第３右上側入射面部７４３Ｃの反対側に配置され、第３右上側入射面部７４３Ｃ及び第３右上側出射面部７４６Ｃにより、左右方向に延びるブロック状の第３右上側導光部７４２Ｃが形成される。第３右上側発光ランプ７３２Ｃから第３右上側入射面部７４３Ｃに入射した光は、第３右上側導光部７４２Ｃを透過して第３右上側出射面部７４６Ｃを通るようになっている。なお、第２右上側出射面部７４６Ｂの下端部と第３右上側出射面部７４６Ｃの上端部は、同一平面状に繋がって形成される。第２右上側導光部７４２Ｂと第３右上側導光部７４２Ｃとが繋がる部分の後面側に大きな切欠き（前述と同様のＶ字溝）が形成されており（図３５を参照）、第２右上側発光ランプ７３２Ｂから第２右上側導光部７４２Ｂを透過する光と、第３右上側発光ランプ７３２Ｃから第３右上側導光部７４２Ｃを透過する光とが、第２右上側出射面部７４６Ｂと第３右上側出射面部７４６Ｃとが繋がる部分においてなるべく干渉しないようになっている。
【０１５０】
第４右上側出射面部７４６Ｄは、右側導光部材７４１の前面右側の第３右上側出射面部７４６Ｃの右下側に、左右の幅方向に並ぶ前面視矩形状に区画された凹凸を有して形成される。第４右上側出射面部７４６Ｄは、第４右上側入射面部７４３Ｄの反対側に配置され、第４右上側入射面部７４３Ｄ及び第４右上側出射面部７４６Ｄにより、左右方向に延びるブロック状の第４右上側導光部７４２Ｄが形成される。第４右上側発光ランプ７３２Ｄから第４右上側入射面部７４３Ｄに入射した光は、第４右上側導光部７４２Ｄを透過して第４右上側出射面部７４６Ｄを通るようになっている。なお、第３右上側出射面部７４６Ｃの下端部と第４右上側出射面部７４６Ｄの上端部は、同一平面状に繋がって形成される。第３右上側導光部７４２Ｃと第４右上側導光部７４２Ｄとが繋がる部分の後面側に大きな切欠き（前述と同様のＶ字溝）が形成されており（図３５を参照）、第３右上側発光ランプ７３２Ｃから第３右上側導光部７４２Ｃを透過する光と、第４右上側発光ランプ７３２Ｄから第４右上側導光部７４２Ｄを透過する光とが、第３右上側出射面部７４６Ｃと第４右上側出射面部７４６Ｄとが繋がる部分においてなるべく干渉しないようになっている。
【０１５１】
第５右上側出射面部７４６Ｅは、右側導光部材７４１の前面中央部（第１右上側出射面部７４６Ａの左下側かつ第２右上側出射面部７４６Ｂの左側）に、左右の幅方向に並ぶ前面視矩形状に区画された凹凸を有して形成される。第５右上側出射面部７４６Ｅの凹凸は、上方に隣接する第１右上側出射面部７４６Ａの凹凸に対して幅方向にずれて配置される。第５右上側出射面部７４６Ｅは、第５右上側入射面部７４３Ｅの反対側に配置され、第５右上側入射面部７４３Ｅ及び第５右上側出射面部７４６Ｅにより、左右方向に延びるブロック状の第５右上側導光部７４２Ｅが形成される。第５右上側発光ランプ７３２Ｅから第５右上側入射面部７４３Ｅに入射した光は、第５右上側導光部７４２Ｅを透過して第５右上側出射面部７４６Ｅを通るようになっている。なお、第２右上側出射面部７４６Ｂの左端部と第５右上側出射面部７４６Ｅの右端部は、同一平面状に繋がって形成される。第２右上側導光部７４２Ｂと第５右上側導光部７４２Ｅとが繋がる部分の後面側に大きな切欠き（前述と同様のＶ字溝）が形成されており（図３５を参照）、第２右上側発光ランプ７３２Ｂから第２右上側導光部７４２Ｂを透過する光と、第５右上側発光ランプ７３２Ｅから第５右上側導光部７４２Ｅを透過する光とが、第２右上側出射面部７４６Ｂと第５右上側出射面部７４６Ｅとが繋がる部分においてなるべく干渉しないようになっている。
【０１５２】
第６右上側出射面部７４６Ｆは、右側導光部材７４１の前面中央部の第５右上側出射面部７４６Ｅの下側（第３右上側出射面部７４６Ｃの左側）に、左右の幅方向に並ぶ前面視矩形状に区画された凹凸を有して形成される。第６右上側出射面部７４６Ｆは、第６右上側入射面部７４３Ｆの反対側に配置され、第６右上側入射面部７４３Ｆ及び第６右上側出射面部７４６Ｆにより、左右方向に延びるブロック状の第６右上側導光部７４２Ｆが形成される。第６右上側発光ランプ７３２Ｆから第６右上側入射面部７４３Ｆに入射した光は、第６右上側導光部７４２Ｆを透過して第６右上側出射面部７４６Ｆを通るようになっている。
【０１５３】
なお、第３右上側出射面部７４６Ｃの左端部と第６右上側出射面部７４６Ｆの右端部は、同一平面状に繋がって形成される。第３右上側導光部７４２Ｃと第６右上側導光部７４２Ｆとが繋がる部分の後面側に大きな切欠き（前述と同様のＶ字溝）が形成されており（図３５を参照）、第３右上側発光ランプ７３２Ｃから第３右上側導光部７４２Ｃを透過する光と、第６右上側発光ランプ７３２Ｆから第６右上側導光部７４２Ｆを透過する光とが、第３右上側出射面部７４６Ｃと第６右上側出射面部７４６Ｆとが繋がる部分においてなるべく干渉しないようになっている。また、第５右上側出射面部７４６Ｅの下端部と第６右上側出射面部７４６Ｆの上端部は、同一平面状に繋がって形成される。第５右上側導光部７４２Ｅと第６右上側導光部７４２Ｆとが繋がる部分の後面側に大きな切欠き（前述と同様のＶ字溝）が形成されており（図３５を参照）、第５右上側発光ランプ７３２Ｅから第５右上側導光部７４２Ｅを透過する光と、第６右上側発光ランプ７３２Ｆから第６右上側導光部７４２Ｆを透過する光とが、第５右上側出射面部７４６Ｅと第６右上側出射面部７４６Ｆとが繋がる部分においてなるべく干渉しないようになっている。
【０１５４】
第７右上側出射面部７４６Ｇは、右側導光部材７４１の前面中央部の第６右上側出射面部７４６Ｆの下側に、左右の幅方向に並ぶ前面視矩形状に区画された凹凸を有して形成される。第７右上側出射面部７４６Ｇの凹凸は、上方に隣接する第６右上側出射面部７４６Ｆの凹凸に対して幅方向にずれて配置される。第７右上側出射面部７４６Ｇは、第７右上側入射面部７４３Ｇの反対側に配置され、第７右上側入射面部７４３Ｇ及び第７右上側出射面部７４６Ｇにより、左右方向に延びるブロック状の第７右上側導光部７４２Ｇが形成される。第７右上側発光ランプ７３２Ｇから第７右上側入射面部７４３Ｇに入射した光は、第７右上側導光部７４２Ｇを透過して第７右上側出射面部７４６Ｇを通るようになっている。
【０１５５】
第８右上側出射面部７４６Ｈは、右側導光部材７４１の前面右下部（第４右上側出射面部７４６Ｄの下側）に、上下の幅方向に並ぶ前面視矩形状に区画された凹凸を有して形成される。第８右上側出射面部７４６Ｈは、第８右上側入射面部７４３Ｈの反対側に配置され、第８右上側入射面部７４３Ｈ及び第８右上側出射面部７４６Ｈにより、左右方向に延びるブロック状の第８右上側導光部７４２Ｈが形成される。第８右上側発光ランプ７３２Ｈから第８右上側入射面部７４３Ｈに入射した光は、第８右上側導光部７４２Ｈを透過して第８右上側出射面部７４６Ｈを通るようになっている。
【０１５６】
第９右上側出射面部７４６Ｉは、右側導光部材７４１の前面左上部に、左右の幅方向に並ぶ前面視矩形状に区画された凹凸を有して形成される。第９右上側出射面部７４６Ｉは、第９右上側入射面部７４３Ｉの反対側に配置され、第９右上側入射面部７４３Ｉ及び第９右上側出射面部７４６Ｉにより、左右方向に延びるブロック状の第９右上側導光部７４２Ｉが形成される。第９右上側発光ランプ７３２Ｉから第９右上側入射面部７４３Ｉに入射した光は、第９右上側導光部７４２Ｉを透過して第９右上側出射面部７４６Ｉを通るようになっている。
【０１５７】
第１０右上側出射面部７４６Ｊは、右側導光部材７４１の前面左側（第９右上側出射面部７４６Ｉの下側）に、左右の幅方向に並ぶ前面視矩形状に区画された凹凸を有して形成される。第１０右上側出射面部７４６Ｊの凹凸は、上方に隣接する第９右上側出射面部７４６Ｉの凹凸に対して幅方向にずれて配置される。第１０右上側出射面部７４６Ｊは、第１０右上側入射面部７４３Ｊの反対側に配置され、第１０右上側入射面部７４３Ｊ及び第１０右上側出射面部７４６Ｊにより、左右方向に延びるブロック状の第１０右上側導光部７４２Ｊが形成される。第１０右上側発光ランプ７３２Ｊから第１０右上側入射面部７４３Ｊに入射した光は、第１０右上側導光部７４２Ｊを透過して第１０右上側出射面部７４６Ｊを通るようになっている。
【０１５８】
第１１右上側出射面部７４６Ｋは、右側導光部材７４１の前面左側の第１０右上側出射面部７４６Ｊの下側に、左右の幅方向に並ぶ前面視矩形状に区画された凹凸を有して形成される。第１１右上側出射面部７４６Ｋの凹凸は、上方に隣接する第１０右上側出射面部７４６Ｊの凹凸に対して幅方向にずれて配置される。第１１右上側出射面部７４６Ｋは、第１１右上側入射面部７４３Ｋの反対側に配置され、第１１右上側入射面部７４３Ｋ及び第１１右上側出射面部７４６Ｋにより、左右方向に延びるブロック状の第１１右上側導光部７４２Ｋが形成される。第１１右上側発光ランプ７３２Ｋから第１１右上側入射面部７４３Ｋに入射した光は、第１１右上側導光部７４２Ｋを透過して第１１右上側出射面部７４６Ｋを通るようになっている。
【０１５９】
第１２右上側出射面部７４６Ｌは、右側導光部材７４１の前面左側の第１１右上側出射面部７４６Ｋの右下側に、左右の幅方向に並ぶ前面視矩形状に区画された凹凸を有して形成される。第１２右上側出射面部７４６Ｌの凹凸は、上方に隣接する第１１右上側出射面部７４６Ｋの凹凸に対して幅方向にずれて配置される。第１２右上側出射面部７４６Ｌは、第１２右上側入射面部７４３Ｌの反対側に配置され、第１２右上側入射面部７４３Ｌ及び第１２右上側出射面部７４６Ｌにより、左右方向に延びるブロック状の第１２右上側導光部７４２Ｌが形成される。第１２右上側発光ランプ７３２Ｌから第１２右上側入射面部７４３Ｌに入射した光は、第１２右上側導光部７４２Ｌを透過して第１２右上側出射面部７４６Ｌを通るようになっている。
【０１６０】
第１３右上側出射面部７４６Ｍは、右側導光部材７４１の前面左側の第１１右上側出射面部７４６Ｋの左下側に、左右の幅方向に並ぶ前面視矩形状に区画された凹凸を有して形成される。第１３右上側出射面部７４６Ｍの凹凸は、上方に隣接する第１１右上側出射面部７４６Ｋの凹凸に対して幅方向にずれて配置される。第１３右上側出射面部７４６Ｍは、第１３右上側入射面部７４３Ｍの反対側に配置され、第１３右上側入射面部７４３Ｍ及び第１３右上側出射面部７４６Ｍにより、左右方向に延びるブロック状の第１３右上側導光部７４２Ｍが形成される。第１３右上側発光ランプ７３２Ｍから第１３右上側入射面部７４３Ｍに入射した光は、第１３右上側導光部７４２Ｍを透過して第１３右上側出射面部７４６Ｍを通るようになっている。
【０１６１】
第１４右上側出射面部７４６Ｎは、右側導光部材７４１の前面左側の第１３右上側出射面部７４６Ｍの左下側に、左右に傾斜した幅方向に並ぶ幅方向に並ぶ前面視矩形状に区画された凹凸を有して形成される。第１４右上側出射面部７４６Ｎは、第１４右上側入射面部７４３Ｎの反対側に配置され、第１４右上側入射面部７４３Ｎ及び第１４右上側出射面部７４６Ｎにより、左右に傾斜した方向に延びるブロック状の第１４右上側導光部７４２Ｎが形成される。第１４右上側発光ランプ７３２Ｎから第１４右上側入射面部７４３Ｎに入射した光は、第１４右上側導光部７４２Ｎを透過して第１４右上側出射面部７４６Ｎを通るようになっている。
【０１６２】
第１〜第１４右上側導光部７４２Ａ〜７４２Ｎは、同様の断面形状を有している。例えば、図３８に示すように、第２右上側出射面部７４６Ｂにおける第２右上側入射面部７４３Ｂと対向する部分に、第２右上側発光ランプ７３２Ｂから第２右上側入射面部７４３Ｂに入射した光の一部を左右後方に向けて反射させる第２右上側溝状面部７４４Ｂが形成される。第２右上側導光部７４２Ｂの後面側における第２右上側入射面部７４３Ｂの左右の幅方向に沿った側方に、第２右上側溝状面部７４４Ｂで反射した光を前方に拡散反射させて第２右上側出射面部７４６Ｂの全体に行きわたらせる第２右上側ローレット面部７４５Ｂが形成される。第５右上側出射面部７４６Ｅにおける第５右上側入射面部７４３Ｅと対向する部分に、第５右上側発光ランプ７３２Ｅから第５右上側入射面部７４３Ｅに入射した光の一部を左右後方に向けて反射させる第５右上側溝状面部７４４Ｅが形成される。第５右上側導光部７４２Ｅの後面側における第５右上側入射面部７４３Ｅの左右の幅方向に沿った側方に、第５右上側溝状面部７４４Ｅで反射した光を前方に拡散反射させて第５右上側出射面部７４６Ｅの全体に行きわたらせる第５右上側ローレット面部７４５Ｅが形成される。
【０１６３】
第１０右上側出射面部７４６Ｊにおける第１０右上側入射面部７４３Ｊと対向する部分に、第１０右上側発光ランプ７３２Ｊから第１０右上側入射面部７４３Ｊに入射した光の一部を左右後方に向けて反射させる第１０右上側溝状面部７４４Ｊが形成される。第１０右上側導光部７４２Ｊの後面側における第１０右上側入射面部７４３Ｊの左右の幅方向に沿った側方に、第１０右上側溝状面部７４４Ｊで反射した光を前方に拡散反射させて第１０右上側出射面部７４６Ｊの全体に行きわたらせる第１０右上側ローレット面部７４５Ｊが形成される。このように、第１〜第１４右上側導光部７４２Ａ〜７４２Ｎは、右上側溝状面部及び右上側ローレット面部を有するブロック状に形成される。
【０１６４】
図３４に示すように、第１〜第１０右下側出射面部７５６Ａ〜７５６Ｊは、右側導光部材７４１の前面側の下縁部近傍に、右側導光部材７４１の下縁部に沿って右側から順に並んで形成される。第１右下側出射面部７５６Ａ、第３右下側出射面部７５６Ｃ、第４右下側出射面部７５６Ｄ、第６右下側出射面部７５６Ｆ、第７右下側出射面部７５６Ｇ、及び第９右下側出射面部７５６Ｉは、左右の幅方向に並ぶ前面視矩形状に区画された凹凸を有して形成される。第１右下側出射面部７５６Ａ、第３右下側出射面部７５６Ｃ、第４右下側出射面部７５６Ｄ、第６右下側出射面部７５６Ｆ、第７右下側出射面部７５６Ｇ、及び第９右下側出射面部７５６Ｉは、第１右下側入射面部７５３Ａ、第３右下側入射面部７５３Ｃ、第４右下側入射面部７５３Ｄ、第６右下側入射面部７５３Ｆ、第７右下側入射面部７５３Ｇ、及び第９右下側入射面部７５３Ｉの反対側に配置される。これらによって、左右方向に延びるブロック状の第１右下側導光部７５２Ａ、第３右下側導光部７５２Ｃ、第４右下側導光部７５２Ｄ、第６右下側導光部７５２Ｆ、第７右下側導光部７５２Ｇ、及び第９右下側導光部７５２Ｉが形成される。
【０１６５】
第２右下側出射面部７５６Ｂ、第５右下側出射面部７５６Ｅ、第８右下側出射面部７５６Ｈ、及び第１０右下側出射面部７５６Ｊは、上下の幅方向に並ぶ前面視矩形状に区画された凹凸を有して形成される。第２右下側出射面部７５６Ｂ、第５右下側出射面部７５６Ｅ、第８右下側出射面部７５６Ｈ、及び第１０右下側出射面部７５６Ｊは、第２右下側入射面部７５３Ｂ、第５右下側入射面部７５３Ｅ、第８右下側入射面部７５３Ｈ、及び第１０右下側入射面部７５３Ｊの反対側に配置される。これらによって、上下方向に延びるブロック状の第２右下側導光部７５２Ｂ、第５右下側導光部７５２Ｅ、第８右下側導光部７５２Ｈ、及び第１０右下側導光部７５２Ｊが形成される。
【０１６６】
このように、左右方向に延びるブロック状の右下側導光部と、上下方向に延びるブロック状の右下側導光部とが可能な限り交互に配置されることで、第１〜第１０右下側発光ランプ７３３Ａ〜７３３Ｊから第１〜第１０右下側入射面部７５３Ａ〜７５３Ｊに入射して第１〜第１０右下側導光部７５２Ａ〜７５２Ｊを透過する光が、第１〜第１０右下側出射面部７５６Ａ〜７５６Ｊにおいてなるべく干渉しないようになっている。第１〜第１０右下側導光部７５２Ａ〜７５２Ｊでは、第２右下側出射面部７５６Ｂ、第５右下側出射面部７５６Ｅ、第８右下側出射面部７５６Ｈ、及び第１０右下側出射面部７５６Ｊにおいて、左右に隣接する（左右方向に延びる）右下側導光部を透過する光が混ざって通るようにしてもよい。第１〜第１０右下側導光部７５２Ａ〜７５２Ｊは、全体として（一塊の右下側導光部として見ると）左右方向に延びて形成されるため、上下方向に延びる第２右下側導光部７５２Ｂ、第５右下側導光部７５２Ｅ、第８右下側導光部７５２Ｈ、及び第１０右下側導光部７５２Ｊを透過する光は、左右に隣接する右下側導光部を透過する光に対して殆ど干渉せず、部分的にアクセントを与える発光演出を実行可能としている。なお、第１〜第１０右下側導光部７５２Ａ〜７５２Ｊは、第１〜第１４右上側導光部７４２Ａ〜７４２Ｎと同様に、右下側溝状面部（図示せず）及び右下側ローレット面部（図示せず）を有するブロック状に形成される。
【０１６７】
図３６及び図３７に示すように、第１右側ランプカバー７６１は、透光性を有する樹脂材料を用いて蓋状に形成される。第２右側ランプカバー７７１は、透光性を有する樹脂材料を用いて蓋状に形成され、第１右側ランプカバー７６１の下側に接合される。第１右側ランプカバー７６１及び第２右側ランプカバー７７１は、右側導光部材７４１とともに、ネジ等の固定部材（図示せず）を用いて、基板受容部７２２で右側ランプ基板７３１を受容した右側ランプベース部材７２１の前面側に取り付け固定される。
【０１６８】
第１右側ランプカバー７６１は、前面に所定の装飾が施されて右側ランプ基板７３１及び右側導光部材７４１の上側部分及び中間部分の前方を覆う第１天井部７６２と、右側ランプ基板７３１及び右側導光部材７４１の上側及び左右の側方を覆う第１側壁部７６３とを有している。右側ランプ基板７３１の第１〜第１４右上側発光ランプ７３２Ａ〜７３２Ｎから発光して右側導光部材７４１の上側の出斜面（第１〜第１４右上側出射面部７４６Ａ〜７４６Ｎ）を通った光が、第１右側ランプカバー７６１の第１天井部７６２を透過することで、所定の装飾が施された第１天井部７６２の前面が発光するように構成される。詳細な図示を省略するが、第１天井部７６２の前面には、装飾の形状（例えば、文字の形状）に沿って延びる断面視円弧状（凸レンズ状）に前方に湾曲した曲面部７６２ａ（図３８を参照）が形成されている。これにより、第１天井部７６２の前面の一部（曲面部７６２ａが形成された部分）を強調して発光させることが可能になる。第１天井部７６２の後面には、右側導光部材７４１の上側の出斜面（第１〜第１４右上側出射面部７４６Ａ〜７４６Ｎ）を通った光を拡散させるための微細な凹凸が形成されている。
【０１６９】
図３７に示すように、第１右側ランプカバー７６１の後面側における第１側壁部７６３よりも内側の部分に、第１天井部７６２の後面側から後方に延びるリブ部７６４が形成される。このリブ部７６４は、右側導光部材７４１の外周部を通って右側ランプ基板７３１の前面側と対向するようになっている。リブ部７６４の後縁部に、右側ランプ基板７３１の複数の右側装飾ランプ７３４，７３４，…と対向して複数のリブ側入射面７６５，７６５…が形成される。各リブ側入射面７６５，７６５…は、各右側装飾ランプ７３４，７３４，…に向けて山型に尖るテーパ状に形成される。右側装飾ランプ７３４から発光した光は、リブ側入射面７６５に対し屈折入射してリブ部７６４を透過し、第１天井部７６２の前面外周側を通るようになっている。これにより、第１天井部７６２の前面外周側の一部を、リブ側入射面７６５での光の屈折等によりボケた点状に発光させることができるため、右側発光演出部７１１による発光演出効果を高めることが可能になる。
【０１７０】
第２右側ランプカバー７７１は、前面に所定の装飾が施されて右側ランプ基板７３１及び右側導光部材７４１の下側部分の前方を覆う第２天井部７７２と、右側ランプ基板７３１及び右側導光部材７４１の下側の側方を覆う第２側壁部７７３とを有している。右側ランプ基板７３１の第１〜第１０右下側発光ランプ７３３Ａ〜７３３Ｊから発光して右側導光部材７４１の下側の出斜面（第１〜第１０右下側出射面部７５６Ａ〜７５６Ｊ）を通った光が、第２右側ランプカバー７７１の第２天井部７７２を透過することで、所定の装飾が施された第２天井部７７２の前面が発光するように構成される。第２天井部７７２の後面には、右側導光部材７４１の下側の出斜面（第１〜第１０右下側出射面部７５６Ａ〜７５６Ｊ）を通った光を拡散させるための微細な凹凸が形成されている。第２側壁部７７３の内側の面（上方を向く面）には、ローレット面が形成されている。
【０１７１】
後側演出部８０１は、図３９及び図４０に示すように、第１可動演出部材８１１と、第１可動演出部材８１１の後方に配置される第２可動演出部材８２１と、連結部材８３１と、ストッパ部材８４１とを有して構成される。第１可動演出部材８１１は、樹脂材料を用いて、所定の装飾が施されて細長く延びる板状に形成される。第１可動演出部材８１１は、ベース部５０１の駆動モータ５２１及び駆動機構５３１により、前側演出部６０１の後側に隠れる第１待機位置（図１６及び図１７を参照）と、第１待機位置から（前方から見て）反時計回りに約２２５°回転して前側演出部６０１の前方から視認可能な第１演出位置（図１８及び図１９を参照）との間で回転可能に構成される。
【０１７２】
第１可動演出部材８１１の回転中心を挟んだ両側に、第１可動演出部材８１１が第１待機位置に回転移動する際に前側演出部６０１の左側発光演出部６１１の後側に隠れる第１の演出体形成部８１２と、右側発光演出部７１１の後側に隠れる第２の演出体形成部８１３とが形成される。第１可動演出部材８１１の中央部に、前後に貫通した回転穴部８１４が形成される。回転穴部８１４は、駆動機構５３１における第４ギヤ５５４の回転支持部５６４と摺接可能に嵌合し、第１可動演出部材８１１が第４ギヤ５５４の回転支持部５６４に回転自在に支持されるようになっている。第１可動演出部材８１１の前面側における回転穴部８１４の周辺部に、駆動機構５３１における第３ギヤ５５３の後列のギヤ部と噛合する回転ギヤ部８１５が形成される。
【０１７３】
第２可動演出部材８２１は、樹脂材料を用いて、所定の装飾が施されて細長く延びる板状に形成される。第２可動演出部材８２１は、ベース部５０１の駆動モータ５２１及び駆動機構５３１により、前側演出部６０１（及び、第１可動演出部材８１１）の後側に隠れる第２待機位置（図１６及び図１７を参照）と、第２待機位置から（前方から見て）反時計回りに約２７０°回転して前側演出部６０１の前方から視認可能な第２演出位置（図１８及び図１９を参照）との間で回転可能に構成される。
【０１７４】
第２可動演出部材８２１の回転中心を挟んだ両側に、第２可動演出部材８２１が第２待機位置に回転移動する際に前側演出部６０１の左側発光演出部６１１の後側に隠れる第３の演出体形成部８２２と、右側発光演出部７１１の後側に隠れる第４の演出体形成部８２３とが形成される。第１可動演出部材８１１が第１演出位置に回転移動するとともに、第２可動演出部材８２１が第２演出位置に回転移動すると、第１可動演出部材８１１の第１の演出体形成部８１２及び第２の演出体形成部８１３と、第２可動演出部材８２１の第３の演出体形成部８２２及び第４の演出体形成部８２３とが回転方向に沿って並ぶように組み合わさって、略円盤状の一つの演出体が形成されるようになっている（図１８及び図１９を参照）。
【０１７５】
図１７に示すように、駆動モータ５２１及び駆動機構５３１により、第１可動演出部材８１１が第１待機位置に回転移動すると、第２可動演出部材８２１が第２待機位置に回転移動し、右側発光演出部７１１が上方の初期位置にスライド移動するように構成される。このとき、第１可動演出部材８１１の第２の演出体形成部８１３と、第２可動演出部材８２１の第４の演出体形成部８２３とが右側発光演出部７１１の後側に隠れるようになっている。一方、図１８に示すように、駆動モータ５２１及び駆動機構５３１により、第１可動演出部材８１１が第１演出位置に回転移動すると、第２可動演出部材８２１が第２演出位置に回転移動し、右側発光演出部７１１が下方の遮蔽位置にスライド移動するように構成される。このとき、前述したように、第１可動演出部材８１１及び第２可動演出部材８２１により略円盤状の一つの演出体が形成されるが、第１可動演出部材８１１の第１の演出体形成部８１２と、第２可動演出部材８２１の第４の演出体形成部８２３との間に形成される間隙部が右側発光演出部７１１の後側に隠れるようになっている。
【０１７６】
第２可動演出部材８２１の前面側に、連結部材８３１の外周形状に合わせて凹んだ部材側連結部８２４が形成される。部材側連結部８２４は、連結部材８３１とともに駆動機構５３１における第４ギヤ５５４のギヤ側連結部５６５を受容する。部材側連結部８２４の底部に、第４ギヤ５５４のギヤ側連結部５６５と位置整合した複数のネジ穴部８２５が貫通形成される。ネジ穴部８２５には、第２可動演出部材８２１の部材側連結部８２４と第４ギヤ５５４のギヤ側連結部５６５とを連結するための連結固定ネジ（図示せず）が挿通される。第２可動演出部材８２１の中央部に、前後に貫通した軸挿通穴部８２６が形成される。軸挿通穴部８２６には、駆動機構５３１のギヤケース５４１における第４ギヤ取付部５４５の長軸部７４５ａが挿通される。第２可動演出部材８２１の後面側に、ストッパ部材８４１の外周形状に合わせて凹んだストッパ部材受容部８２７が形成される。ストッパ部材受容部８２７には、突起状のストッパ当接部８２８が形成される。
【０１７７】
連結部材８３１は、樹脂材料を用いて円盤状に形成される。連結部材８３１の外周側にに、第４ギヤ５５４のギヤ側連結部５６５（及び、第２可動演出部材８２１のネジ穴部８２５）と位置整合した複数のボス挿通穴部８３２が貫通形成される。ボス挿通穴部８３２には、第４ギヤ５５４のギヤ側連結部５６５が挿通される。連結部材８３１の中央部に、支持軸挿通穴部８３３が形成される。支持軸挿通穴部８３３には、第４ギヤ取付部５４５の長軸部７４５ａが挿通される。連結部材８３１のボス挿通穴部８３２と第２可動演出部材８２１のネジ穴部８２５とが位置整合するように、連結部材８３１が第２可動演出部材８２１の部材側連結部８２４に受容されるとともに、連結部材８３１のボス挿通穴部８３２に第４ギヤ５５４のギヤ側連結部５６５が挿通される。この状態で、連結固定ネジ（図示せず）が後方から第２可動演出部材８２１のネジ穴部８２５に挿通されて第４ギヤ５５４のギヤ側連結部５６５の先端部にネジ固定される。これにより、連結部材８３１を介して、第２可動演出部材８２１の部材側連結部８２４と第４ギヤ５５４のギヤ側連結部５６５とが連結される。なお、連結部材８３１の前面外周側は、第１可動演出部材８１１の後面中央側に摺接可能に構成される。
【０１７８】
ストッパ部材８４１は、樹脂材料を用いて円盤状に形成される。ストッパ部材８４１の中央前面側に、前方に延びる筒状の軸係合部８４２が形成される。軸係合部８４２は、第４ギヤ取付部５４５の長軸部７４５ａの先端部と係合する。ストッパ部材８４１の中央部後面側に、軸係合部８４２の内部空間と繋がるネジ挿通穴部８４３が形成される。ネジ挿通穴部８４３には、ストッパ部材８４１を固定するためのストッパ固定ネジ（図示せず）が挿通される。ストッパ部材８４１の軸係合部８４２と、第４ギヤ取付部５４５の長軸部７４５ａの先端部とが係合した状態で、ストッパ固定ネジ（図示せず）が後方からネジ挿通穴部８４３に挿通されて第４ギヤ取付部５４５の長軸部７４５ａの先端部にネジ固定される。これにより、ストッパ部材８４１は、第４ギヤ取付部５４５の長軸部７４５ａの先端部に取り付け固定されるとともに、第２可動演出部材８２１のストッパ部材受容部８２７に受容される。ストッパ部材８４１の前面上側に、扇状に延びる突起状のストッパ部８４４が形成される。第２可動演出部材８２１が第２待機位置を越えて（前方から見て時計回りに）回転しようとすると、第２可動演出部材８２１のストッパ当接部８２８がストッパ部８４４の一方の端部（左端部）に当接し、第２可動演出部材８２１が第２演出位置を越えて（前方から見て反時計回りに）回転しようとすると、第２可動演出部材８２１のストッパ当接部８２８がストッパ部８４４の他方の端部（右端部）に当接するようになっている。
【０１７９】
以上のように構成される可動役物装置５００において、前側演出部６０１の左側発光演出部６１１及び右側発光演出部７１１による発光演出を行う場合について述べる。左側発光演出部６１１による発光演出を行う際、左側ランプ基板６３１の第１〜第２３左側発光ランプ６３２Ａ〜６３２Ｗと、複数の左側装飾ランプ６３４，６３４…と、複数の左側補助ランプ６３６，６３６…が発光する。第１〜第２３左側発光ランプ６３２Ａ〜６３２Ｗから発光した光は、左側導光部材６４１の入射面に入射して左側導光部材６４１を透過し、左側導光部材６４１の出射面を通る。
【０１８０】
このとき、第１〜第２３左側発光ランプ６３２Ａ〜６３２Ｗのうち一の左側発光ランプから発光した光は、左側導光部材６４１の第１〜第２３左側入射面部６４３Ａ〜６４３Ｗのうち一の（対応する同じアルファベット記号の）左側入射面部に入射して、第１〜第２３左側出射面部６４６Ａ〜６４６Ｗのうち一の（対応する同じアルファベット記号の）左側出射面部を通る。そして、左側導光部材６４１の出斜面（第１〜第２３左側出射面部６４６Ａ〜６４６Ｗ）を通った光は、左側ランプカバー６６１の天井部６６２を透過し、所定の装飾が施された左側ランプカバー６６１の天井部６６２の前面が発光する。
【０１８１】
本実施形態において、左側導光部材６４１は、第１〜第２３左側発光ランプ６３２Ａ〜６３２Ｗから発光した光を別個に透過させる第１〜第２３左側導光部６４２Ａ〜６４２Ｗを有して構成され、第１〜第２３左側導光部６４２Ａ〜６４２Ｗがブロック状に並んで形成されている。そのため、第１〜第２３左側発光ランプ６３２Ａ〜６３２Ｗから発光する光（色相、明度、彩度のうち少なくともいずれか）を互いに異なるように変化させることで、左側導光部材６４１の出斜面（例えば、上下方向に並ぶ第１〜第５左側出射面部６４６Ａ〜６４６Ｅ、第６〜第８左側出射面部６４６Ｆ〜６４６Ｈ、第９〜第１７左側出射面部６４６Ｉ〜６４６Ｑ、第１８〜第２０左側出射面部６４６Ｒ〜６４６Ｔ等）を通る光を、上下方向にグラデーション状に変化させることができる。その結果、左側ランプカバー６６１の天井部６６２の前面をグラデーション状に（左右方向に延びる縞状に）変化させて発光させることが可能になる。
【０１８２】
左側導光部材６４１の入射面を構成する複数の左側入射面部（例えば、第１〜第５左側入射面部６４３Ａ〜６４３Ｅ、第６〜第８左側入射面部６４３Ｆ〜６４３Ｈ、第１８〜第２０左側入射面部６４３Ｒ〜６４３Ｔ等）は、対応する複数の左側出射面部（例えば、第１〜第５左側出射面部６４６Ａ〜６４６Ｅ、第６〜第８左側出射面部６４６Ｆ〜６４６Ｈ、第１８〜第２０左側出射面部６４６Ｒ〜６４６Ｔ等）に対して、入射面方向（入射面の延在方向）において複数の左側出斜面部が並ぶ方向（上下方向）と直角な左右の幅方向にずれるとともに、上下方向に並んで配置される。これにより、複数の左側入射面部が互いに近接して配置されるのを防ぐことができるため、一の左側入射面部に入射する光が他の左側入射面部にも入射して干渉するのを防止することができる。そのため、例えばグラデーション状に発光させる発光演出等において左側発光演出部６１１の装飾性を高めることができ、可動役物装置５００の装飾性をより高めることが可能になる。
【０１８３】
左側導光部材６４１の出射面を構成する左側出射面部（例えば、第１〜第５左側出射面部６４６Ａ〜６４６Ｅ、第６〜第８左側出射面部６４６Ｆ〜６４６Ｈ、第１８〜第２０左側出射面部６４６Ｒ〜６４６Ｔ等）は、出射面方向（出射面の延在方向）において複数の左側出斜面部が並ぶ方向（上下方向）と直角な左右の幅方向に並ぶ凹凸を有して形成され、当該凹凸は、隣接して並ぶ左側出射面部の凹凸に対して左右の幅方向にずれて配置される。これにより、複数の左側出斜面部同士が同一平面状に繋がる部分を小さくすることができるため、一の左側入射面部に入射して一の左側出射面部を通る光が、他の左側出射面部をも通って干渉するのを防止することができる。そのため、例えばグラデーション状に発光させる発光演出等において左側発光演出部６１１の装飾性を高めることができ、可動役物装置５００の装飾性をより高めることが可能になる。
【０１８４】
また、左側装飾ランプ６３４から発光した光は、左側ランプカバー６６１のリブ側入射面６６５に対し屈折入射してリブ部６６４及び天井部６６２の外周側を透過し、左側ランプカバー６６１の天井部６６２の前面外周側が部分的に発光する。これにより、天井部６６２の前面外周側の一部を、リブ側入射面６６５での光の屈折等によりボケた点状に発光させることができるため、左側発光演出部６１１による発光演出効果を高めることが可能になる。左側補助ランプ６３６から発光した光は、左側ランプカバー６６１の上下の側壁部６６３を透過して、左側ランプカバー６６１の上下の側面が部分的に発光したり、左側ランプカバー６６１の右上部の切欠き部分を通って第１装飾部材５２５の後側に達し、第１装飾部材５２５の上部が発光したりする。
【０１８５】
右側発光演出部７１１による発光演出を行う際、右側ランプ基板７３１の第１〜第１４右上側発光ランプ７３２Ａ〜７３２Ｎと、第１〜第１０右下側発光ランプ７３３Ａ〜７３３Ｊと、複数の右側装飾ランプ７３４，７３４…と、複数の右側補助ランプ７３６，７３６…が発光する。第１〜第１４右上側発光ランプ７３２Ａ〜７３２Ｎから発光した光は、右側導光部材７４１の上側の入射面に入射して右側導光部材７４１を透過し、右側導光部材７４１の上側の出射面を通る。
【０１８６】
このとき、第１〜第１４右上側発光ランプ７３２Ａ〜７３２Ｎのうち一の右上側発光ランプから発光した光は、右側導光部材７４１の第１〜第１４右上側入射面部７４３Ａ〜７４３Ｎのうち一の（対応する同じアルファベット記号の）右上側入射面部に入射して、第１〜第１４右上側出射面部７４６Ａ〜７４６Ｎのうち一の（対応する同じアルファベット記号の）右上側出射面部を通る。そして、右側導光部材７４１の上側の出斜面（第１〜第１４右上側入射面部７４３Ａ〜７４３Ｎ）を通った光は、第１右側ランプカバー７６１の第１天井部７６２を透過し、所定の装飾が施された第１右側ランプカバー７６１の第１天井部７６２の前面が発光する。
【０１８７】
本実施形態において、右側導光部材７４１は、第１〜第１４右上側発光ランプ７３２Ａ〜７３２Ｎから発光した光を別個に透過させる第１〜第１４右上側導光部７４２Ａ〜７４２Ｎを有して構成され、第１〜第１４右上側導光部７４２Ａ〜７４２Ｎがブロック状に並んで形成されている。そのため、第１〜第１４右上側発光ランプ７３２Ａ〜７３２Ｎから発光する光（色相、明度、彩度のうち少なくともいずれか）を互いに異なるように変化させることで、右側導光部材７４１の出斜面（例えば、上下方向に並ぶ第１〜第７右上側出射面部７４６Ａ〜７４６Ｇ、第９〜第１４右上側出射面部７４６Ｉ〜７４６Ｎ等）を通る光を、上下方向にグラデーション状に変化させることができる。その結果、第１右側ランプカバー７６１の第１天井部７６２の前面をグラデーション状に（左右方向に延びる縞状に）変化させて発光させることが可能になる。
【０１８８】
第１〜第１０右下側発光ランプ７３３Ａ〜７３３Ｊから発光した光は、右側導光部材７４１の下側の入射面に入射して右側導光部材７４１を透過し、右側導光部材７４１の下側の出射面を通る。このとき、第１〜第１０右下側発光ランプ７３３Ａ〜７３３Ｊのうち一の右下側発光ランプから発光した光は、右側導光部材７４１の第１〜第１０右下側入射面部７５３Ａ〜７５３Ｊのうち一の（対応する同じアルファベット記号の）右下側入射面部に入射して、第１〜第１０右下側出射面部７５６Ａ〜７５６Ｊのうち一の（対応する同じアルファベット記号の）右下側出射面部を通る。そして、右側導光部材７４１の下側の出斜面（第１〜第１０右下側出射面部７５６Ａ〜７５６Ｊ）を通った光は、第２右側ランプカバー７７１の第２天井部７７２を透過し、所定の装飾が施された第２右側ランプカバー７７１の第２天井部７７２の前面が発光する。
【０１８９】
右側導光部材７４１の上側の入射面を構成する複数の右上側入射面部（例えば、第１０〜第１２右上側入射面部７４３Ｊ〜７４３Ｌ等）は、対応する複数の右上側出射面部（例えば、第１０〜第１２右上側出射面部７４６Ｊ〜７４６Ｌ等）に対して、入射面方向（入射面の延在方向）において複数の右上側出斜面部が並ぶ方向（上下方向）と直角な左右の幅方向にずれるとともに、上下方向に並んで配置される。これにより、複数の右上側入射面部が互いに近接して配置されるのを防ぐことができるため、一の右上側入射面部に入射する光が他の右上側入射面部にも入射して干渉するのを防止することができる。そのため、例えばグラデーション状に発光させる発光演出等において右側発光演出部７１１の装飾性を高めることができ、可動役物装置５００の装飾性をより高めることが可能になる。
【０１９０】
右側導光部材７４１の上側の出射面を構成する右上側出射面部（例えば、第１０〜第１２右上側出射面部７４６Ｊ〜７４６Ｌ等）は、出射面方向（出射面の延在方向）において複数の右上側出斜面部が並ぶ方向（上下方向）と直角な左右の幅方向に並ぶ凹凸を有して形成され、当該凹凸は、隣接して並ぶ右上側出射面部の凹凸に対して左右の幅方向にずれて配置される。これにより、複数の右上側出斜面部同士が同一平面状に繋がる部分を小さくすることができるため、一の右上側入射面部に入射して一の右上側出射面部を通る光が、他の右上側出射面部をも通って干渉するのを防止することができる。そのため、例えばグラデーション状に発光させる発光演出等において右側発光演出部７１１の装飾性を高めることができ、可動役物装置５００の装飾性をより高めることが可能になる。
【０１９１】
また、右側装飾ランプ７３４から発光した光は、第１右側ランプカバー７６１のリブ側入射面７６５に対し屈折入射してリブ部７６４及び第１天井部７６２の外周側を透過し、第１右側ランプカバー７６１の第１天井部７６２の前面外周側が部分的に発光する。これにより、第１天井部７６２の前面外周側の一部を、リブ側入射面７６５での光の屈折等によりボケた点状に発光させることができるため、右側発光演出部７１１による発光演出効果を高めることが可能になる。右側補助ランプ７３６から発光した光は、第２右側ランプカバー７７１の下側の第２側壁部７７３を透過し、第２右側ランプカバー７７１の下側の側面が部分的に発光する。
【０１９２】
次に、可動役物装置５００において、後側演出部８０１による可動演出を行う場合について述べる。通常の状態では、可動役物装置５００がセンター役物２６の上部前側に配置さており、図１６及び図１７に示すように、後側演出部８０１の第１可動演出部材８１１が第１待機位置に位置し、後側演出部８０１の第２可動演出部材８２１が第２待機位置に位置し、右側発光演出部７１１が初期位置に位置するようになっている。このとき、第１可動演出部材８１１及び第２可動演出部材８２１は、左右に略水平に倒れた状態となり、左側発光演出部６１１及び右側発光演出部７１１の後側に隠れる。より具体的には、第１可動演出部材８１１の第１の演出体形成部８１２と、第２可動演出部材８２１の第３の演出体形成部８２２とが左側発光演出部６１１の後側に隠れる。また、第１可動演出部材８１１の第２の演出体形成部８１３と、第２可動演出部材８２１の第４の演出体形成部８２３とが右側発光演出部７１１の後側に隠れる。
【０１９３】
後側演出部８０１による可動演出を行う際、センター役物２６の左右後方に設けられた上下移動機構（図示せず）により、可動役物装置５００がセンター役物２６の上部前側の位置から下方の位置（演出表示装置２７の画面の前側の位置）にスライド移動する。この状態で、駆動モータ５２１は、駆動機構５３１を介して、第１可動演出部材８１１及び第２可動演出部材８２１を（前方から見て）反時計回りに回転駆動するとともに、右側発光演出部７１１を下方に駆動する。
【０１９４】
このとき、駆動機構５３１の第１ギヤ５５１と、第２ギヤ５５２と、第３ギヤ５５３を介して、駆動モータ５２１の駆動力が第１可動演出部材８１１に伝達され、第１可動演出部材８１１が第１待機位置から反時計回りに約２２５°回転して第１演出位置に回転移動する。またこのとき、駆動機構５３１の第１ギヤ５５１と、第２ギヤ５５２と、第３ギヤ５５３と、第４ギヤ５５４と、連結部材８３１を介して、駆動モータ５２１の駆動力が第２可動演出部材８２１に伝達され、第２可動演出部材８２１が第２待機位置から反時計回りに約２７０°回転して第２演出位置に回転移動する。またこのとき、駆動機構５３１の第１ギヤ５５１と、第２ギヤ５５２と、第３ギヤ５５３と、第５ギヤ５５５と、第６ギヤ５５６と、駆動部材５７１を介して、駆動モータ５２１の駆動力が右側発光演出部７１１に伝達され、右側発光演出部７１１が初期位置から下方の遮蔽位置にスライド移動する。
【０１９５】
このように、図１８及び図１９に示すように、駆動モータ５２１及び駆動機構５３１により、第１可動演出部材８１１が第１演出位置に回転移動すると、第２可動演出部材８２１が第２演出位置に回転移動し、右側発光演出部７１１が下方の遮蔽位置にスライド移動する。第１可動演出部材８１１が第１演出位置に回転移動するとともに、第２可動演出部材８２１が第２演出位置に回転移動すると、第１可動演出部材８１１の第１の演出体形成部８１２及び第２の演出体形成部８１３と、第２可動演出部材８２１の第３の演出体形成部８２２及び第４の演出体形成部８２３とが回転方向に沿って並ぶように組み合わさって、前側演出部６０１の前方から視認可能な略円盤状の一つの演出体が形成される。
【０１９６】
第１可動演出部材８１１及び第２可動演出部材８２１は、第１待機位置及び第２待機位置において左側発光演出部６１１及び右側発光演出部７１１の後側に隠れるように、細長く延びる板状に形成される。そのため、左側発光演出部６１１の下方に現れた第１可動演出部材８１１の第２の演出体形成部８１３と、左側発光演出部６１１の上方に現れた第２可動演出部材８２１の第３の演出体形成部８２２との間に略扇形の間隙部が形成されるが、この間隙部は左側発光演出部６１１の後側に隠れるようになっている。同様に、右側発光演出部７１１の上方に現れた第１可動演出部材８１１の第１の演出体形成部８１２と、右側発光演出部７１１の下方に現れた第２可動演出部材８２１の第４の演出体形成部８２３との間に略扇形の間隙部が形成されるが、この間隙部は遮蔽位置にスライド移動した右側発光演出部７１１の後側に隠れるようになっている。
【０１９７】
このように、本実施形態において、前側演出部６０１の右側発光演出部７１１は、第１及び第２待機位置に移動した第１及び第２可動演出部材８１１，８２１を隠す初期位置と、第１及び第２演出位置に移動した第１及び第２可動演出部材８１１，８２１の間隙部を覆う遮蔽位置とに移動可能に構成されている。これにより、第１及び第２可動演出部材８１１，８２１が組み合わさって形成される演出体の装飾性を高めることができ、可動役物装置５００の装飾性をより高めることが可能になる。
【０１９８】
本実施形態の可動役物装置５００において、左側ランプカバー６６１及び第１右側ランプカバー７６１のリブ側入射面６６５，７６５が山型に尖るテーパ状に形成され、左側ランプカバー６６１及び第１右側ランプカバー７６１の天井部６６２，７６２の前面外周側が部分的に発光するように構成されているが、これに限られるものではない。例えば、左側ランプカバー６６１及び第１右側ランプカバー７６１のリブ側入射面がローレット面状に形成され、当該リブ側入射面に入射した光が左側ランプカバー６６１及び第１右側ランプカバー７６１のリブ部６６４，７６４の全体に行きわたるようにすることで、左側ランプカバー６６１及び第１右側ランプカバー７６１の天井部６６２，７６２の前面外周側が全体的な縁取りを有して発光するように構成されてもよい。
【０１９９】
本実施形態の可動役物装置５００において、左側導光部材６４１は、概ね左右方向に延びて上下方向に並ぶ複数の左側導光部６４２Ａ〜６４２Ｗを有して構成され、左側ランプカバー６６１の天井部６６２の前面をグラデーション状に（左右方向に延びる縞状に）変化させて発光させることが可能に構成されているが、これに限られるものではない。例えば、左側導光部材は、上下方向に延びて左右方向に並ぶ複数の左側導光部を有して構成され、左側ランプカバー６６１の天井部６６２の前面をグラデーション状に（上下方向に延びる縞状に）変化させて発光させることが可能に構成されてもよい。すなわち、左側導光部材の入射面を構成する複数の左側入射面部及び、左側導光部材の出射面を構成する複数の左側出射面部は、左右方向に並んで配置されるようにしてもよい。
【０２００】
本実施形態の可動役物装置５００において、右側導光部材７４１は、概ね左右方向に延びて上下方向に並ぶ複数の右上側導光部７４２Ａ〜７４２Ｎを有して構成され、第１右側ランプカバー７６１の第１天井部７６２の前面をグラデーション状に（左右方向に延びる縞状に）変化させて発光させることが可能に構成されているが、これに限られるものではない。例えば、右側導光部材は、上下方向に延びて左右方向に並ぶ複数の右上側導光部を有して構成され、第１右側ランプカバー７６１の第１天井部７６２の前面をグラデーション状に（上下方向に延びる縞状に）変化させて発光させることが可能に構成されてもよい。すなわち、右側導光部材の入射面を構成する複数の右上側入射面部及び、右側導光部材の出射面を構成する複数の右上側出射面部は、左右方向に並んで配置されるようにしてもよい。
【０２０１】
本実施形態の可動役物装置５００は、ぱちんこ遊技機ＰＭに設けられているが、これに限られるものではなく、例えば、アレンジボール、雀球遊技機、回胴式遊技機（スロットマシン）等に設けられてもよい。
【０２０２】
以上、本発明の一実施形態について説明したが、本発明は、上記実施形態（変形例を含む）に限定されるものではなく、本発明の要旨を逸脱しない範囲であれば適宜改良可能である。
【符号の説明】
【０２０３】
ＰＭ  ぱちんこ遊技機
ＰＡ  遊技領域
ＰＡ１  左側領域
ＰＡ２  右側領域
１  外枠
２  前枠
５  ガラス枠
２０  遊技盤
２６  センター役物
２７  演出表示装置
２８  始動口ユニット
６１  作動ゲート装置
６２  第１大入賞装置
６３  第２大入賞装置
７１  第１アウト口
７２  第２アウト口
１００  ユニット本体
２００  第１始動入賞装置
２０１  第１入賞口
２１０  第１始動口排出通路
２１１  流入側通路部
２１２  流出側通路部
２２０  第１始動入賞センサ
３００  第２始動入賞装置
３０１  第２始動口
３１０  振分通路
３２０  駆動機構
３３０  振分部材
３４０  可動部材
３５０  第２始動口排出通路
３５１  前面側通路部
３５２  後面側通路部
３６１  第２始動入賞検出センサ
３６２  第２始動入賞検出センサ
４００  一般入賞装置
５００  可動役物装置（演出装置）
６０１  前側演出部
６１１  左側発光演出部
６３１  左側ランプ基板
６３２Ａ〜６３２Ｗ  第１〜第２３左側発光ランプ
６３４  左側装飾ランプ
６４１  左側導光部材
６４２Ａ〜６４２Ｗ  第１〜第２３左側導光部
６４３Ａ〜６４３Ｗ  第１〜第２３左側入射面部
６４６Ａ〜６４６Ｗ  第１〜第２３左側出射面部
６６１  左側ランプカバー
６６４  リブ部
６６５  リブ側入射面
７１１  右側発光演出部（遮蔽部）
７３１  右側ランプ基板
７３２Ａ〜７３２Ｎ  第１〜第１４右上側発光ランプ
７３４  右側装飾ランプ
７４１  右側導光部材
７４２Ａ〜７４２Ｎ  第１〜第１４右上側導光部
７４３Ａ〜７４３Ｎ  第１〜第１４右上側入射面部
７４６Ａ〜７４６Ｎ  第１〜第１４右上側出射面部
７６１  第１右側ランプカバー
７６４  リブ部
７６５  リブ側入射面
７７１  第２右側ランプカバー
８０１  後側演出部
８１１  第１可動演出部材
８２１  第２可動演出部材
【図１】
2019024663.tif 000003
【図２】
2019024663.tif 000004
【図３】
2019024663.tif 000005
【図４】
2019024663.tif 000006
【図５】
2019024663.tif 000007
【図６】
2019024663.tif 000008
【図７】
2019024663.tif 000009
【図８】
2019024663.tif 000010
【図９】
2019024663.tif 000011
【図１０】
2019024663.tif 000012
【図１１】
2019024663.tif 000013
【図１２】
2019024663.tif 000014
【図１３】
2019024663.tif 000015
【図１４】
2019024663.tif 000016
【図１５】
2019024663.tif 000017
【図１６】
2019024663.tif 000018
【図１７】
2019024663.tif 000019
【図１８】
2019024663.tif 000020
【図１９】
2019024663.tif 000021
【図２０】
2019024663.tif 000022
【図２１】
2019024663.tif 000023
【図２２】
2019024663.tif 000024
【図２３】
2019024663.tif 000025
【図２４】
2019024663.tif 000026
【図２５】
2019024663.tif 000027
【図２６】
2019024663.tif 000028
【図２７】
2019024663.tif 000029
【図２８】
2019024663.tif 000030
【図２９】
2019024663.tif 000031
【図３０】
2019024663.tif 000032
【図３１】
2019024663.tif 000033
【図３２】
2019024663.tif 000034
【図３３】
2019024663.tif 000035
【図３４】
2019024663.tif 000036
【図３５】
2019024663.tif 000037
【図３６】
2019024663.tif 000038
【図３７】
2019024663.tif 000039
【図３８】
2019024663.tif 000040
【図３９】
2019024663.tif 000041
【図４０】
2019024663.tif 000042